【手続補正書】
【提出日】平成20年3月25日(2008.3.25)
【手続補正１】
【補正対象書類名】明細書
【補正対象項目名】特許請求の範囲
【補正方法】変更
【補正の内容】
【特許請求の範囲】
【請求項１】  調節剤であって、以下：
（ａ）ＲＡＬ、ＹＡＬ、ＹＡＴ、ＦＡＴおよびＹＡＳからなる群より選択されるデスモソームカドヘリンＣＡＲ配列を含み；そして
（ｂ）ペプチド結合によって連結された３〜１６アミノ酸残基を含む、
調節剤。
【請求項２】  調節剤であって、以下：ＲＡＬ、ＹＡＬ、ＹＡＴ、ＦＡＴおよびＹＡＳからなる群より選択されるデソモソームカドヘリンＣＡＲ配列を含み、ここで該調節剤は、デスモソームカドヘリン内に存在する保存的アミノ酸残基を５０までしか含まない、
調節剤。
【請求項３】  請求項１〜２のいずれか１項に記載される調節剤であって、該調節剤は、４〜１６アミノ酸残基にわたるサイズのペプチドである、調節剤。
【請求項４】  請求項１〜２のいずれか１項に記載される調節剤であって、前記ＣＡＲ配列が、環状ペプチド内に存在する、調節剤。
【請求項５】  請求項４に記載の調節剤であって、前記環状ペプチドが以下の式：
【化１】
2004504809.tif 000001
を有し、
ここで、Ｗは、ＲＡＬ、ＹＡＬ、ＹＡＴ、ＦＡＴ、およびＹＡＳからなる群より選択されるトリペプチドであり；
ここで、Ｘ１、およびＸ２は、任意であり、そして存在する場合、ペプチド結合によって結合されるアミノ酸残基およびその組み合わせからなる群より独立して選択され、そしてここでＸ１およびＸ２は、独立して０〜１０残基のサイズにわたり、その結果Ｘ１およびＸ２内に含まれる残基の合計は、１〜１２の範囲にわたり；
ここで、Ｙ１およびＹ２は、独立してアミノ酸残基からなる群より選択され、そしてここで共有結合は、残基Ｙ１およびＹ２の間で形成され；そして
ここで、Ｚ１およびＺ２は任意であり、そして存在する場合、ペプチド結合によって結合されるアミノ酸残基およびその組み合わせからなる群より独立して選択される、
調節剤。
【請求項６】  請求項１〜２のいずれか１項に記載の調節剤をコードする、ポリヌクレオチド。
【請求項７】  請求項６に記載されるポリヌクレオチドを含む、発現ベクター。
【請求項８】  請求項７に記載の発現ベクターを用いて形質転換またはトランスフェクトされた、宿主細胞。
【請求項９】  抗体またはその抗原結合フラグメントを含む調節剤であって、該抗体またはその抗原結合フラグメントは、デスモソームカドヘリンＣＡＲ配列に特異的に結合し、そしてデスモソームカドヘリン媒介機能を調節し、ここで該デスモソームカドヘリンＣＡＲ配列は、ＲＡＬ、ＹＡＬ、ＹＡＴ、ＦＡＴおよびＹＡＳからなる群より選択され；そして
ここで、該調節剤は、デスモソームカドヘリンによって媒介される機能を阻害または増強する、
調節剤。
【請求項１０】  請求項１〜２のいずれか１項に記載の調節剤であって、該調節剤は、以下：
ＲＡＬ、ＲＡＬＮ（配列番号１５１）、ＲＡＬＮＳ（配列番号１５２）、ＲＡＬＮＳＭ（配列番号１５３）、ＲＡＬＮＳＬ（配列番号１５４）、ＲＡＬＮＳＭＧ（配列番号１５５）、ＲＡＬＮＳＬＧ（配列番号１５６）、ＣＲＡＬ（配列番号１５７）、ＣＲＡＬＮ（配列番号１５８）、ＣＲＡＬＮＳ（配列番号１５９）、ＣＲＡＬＮＳＭ（配列番号１６０）、ＣＲＡＬＮＳＬ（配列番号１６１）、ＣＲＡＬＮＳＭＧ（配列番号１６２）、ＣＲＡＬＮＳＬＧ（配列番号１６３）、ＹＣＲＡＬ（配列番号１６４）、ＹＣＲＡＬＮ（配列番号１６５）、ＹＣＲＡＬＮＳ（配列番号１６６）、ＹＣＲＡＬＮＳＭ（配列番号１６７）、ＹＣＲＡＬＮＳＬ（配列番号１６８）、ＹＣＲＡＬＮＳＭＧ（配列番号１６９）、ＹＣＲＡＬＮＳＬＧ（配列番号１７０）、ＩＹＲＡＬ（配列番号１７１）、ＩＹＲＡＬＮ（配列番号１７２）、ＩＹＲＡＬＮＳ（配列番号１７３）、ＩＹＲＡＬＮＳＭ（配列番号１７４）、ＩＹＲＡＬＮＳＬ（配列番号１７５）、ＩＹＲＡＬＮＳＭＧ（配列番号１７６）、ＩＹＲＡＬＮＳＬＧ（配列番号１７７）、ＹＡＬ、ＹＡＬＤ（配列番号１８０）、ＹＡＬＤＡ（配列番号１８１）、ＹＡＬＤＡＲ（配列番号１８２）、ＹＡＬＤＡＲＧ（配列番号１８３）、ＧＹＡＬ（配列番号１８４）、ＧＹＡＬＤ（配列番号１８５）、ＧＹＡＬＤＡ（配列番号１８６）、ＧＹＡＬＤＡＲ（配列番号１８７）、ＧＹＡＬＤＡＲＧ（配列番号１８８）、ＴＧＹＡＬ（配列番号１８９）、ＴＧＹＡＬＤ（配列番号１９０）、ＴＧＹＡＬＤＡ（配列番号１９１）、ＴＧＹＡＬＤＡＲ（配列番号１９２）、ＴＧＹＡＬＤＡＲＧ（配列番号１９３）、ＬＴＧＹＡＬ（配列番号１９４）、ＬＴＧＹＡＬＤ（配列番号１９５）、ＬＴＧＹＡＬＤＡ（配列番号１９６）、ＬＴＧＹＡＬＤＡＲ（配列番号１９７）、ＬＴＧＹＡＬＤＡＲＧ（配列番号１９８）、ＲＡＬＮＡ（配列番号２００）、ＲＡＬＮＡＱ（配列番号２０１）、ＲＡＬＮＡＬ（配列番号２０２）、ＲＡＬＮＡＱＧ（配列番号２０３）、ＲＡＬＮＡＬＧ（配列番号２０４）、ＣＲＡＬＮＡ（配列番号２０５）、ＣＲＡＬＮＡＱ（配列番号２０６）、ＣＲＡＬＮＡＬ（配列番号２０７）、ＣＲＡＬＮＡＱＧ（配列番号２０８）、ＣＲＡＬＮＡＬＧ（配列番号２０９）、ＴＣＲＡＬ（配列番号２１０）、ＴＣＲＡＬＮ（配列番号２１１）、ＴＣＲＡＬＮＡ（配列番号２１２）、ＴＣＲＡＬＮＡＱ（配列番号２１３）、ＴＣＲＡＬＮＡＬ（配列番号２１４）、ＴＣＲＡＬＮＡＱＧ（配列番号２１５）、ＴＣＲＡＬＮＡＬＧ（配列番号２１６）、ＩＴＣＲＡＬ（配列番号２１７）、ＩＴＣＲＡＬＮ（配列番号２１８）、ＩＴＣＲＡＬＮＡ（配列番号２１９）、ＩＴＣＲＡＬＮＡＱ（配列番号２２０）、ＩＴＣＲＡＬＮＡＬ（配列番号２２１）、ＩＴＣＲＡＬＮＡＱＧ（配列番号２２２）およびＩＴＣＲＡＬＮＡＬＧ（配列番号２２３）、
からなる群より選択される１つ以上のデスモグレインＣＡＲ配列を含む、調節剤。
【請求項１１】  請求項１０に記載の調節剤であって、該調節剤が以下の配列：Ｎ−Ａｃ−ＩＹＲＡＬＮＳＭＧ−ＮＨ２（配列番号：１７８）、Ｎ−Ａｃ−ＩＹＲＡＬＮＳＬＧ−ＮＨ２（配列番号：１７９）、Ｎ−Ａｃ−ＬＴＧＹＡＬＤＡＲＧ−ＮＨ２（配列番号：１９９）、Ｎ−Ａｃ−ＩＴＣＲＡＬＮＡＱＧ−ＮＨ２（配列番号：２２４）、およびＮ−Ａｃ−ＩＴＣＲＡＬＮＡＬＧ−ＮＨ２（配列番号：２２５）を有する直線状ペプチドを含む、調節剤。
【請求項１２】  デスモグレインＣＡＲ配列が環状ペプチド内に存在する、請求項１０に記載の調節剤。
【請求項１３】  請求項１２に記載の調節剤であって、前記環状ペプチドは、以下：
ＣＲＡＬＣ（配列番号９１６）、ＣＲＡＬＮＣ（配列番号９１７）、ＣＲＡＬＮＳＣ（配列番号９１８）、ＣＲＡＬＮＳＭＣ（配列番号９１９）、ＣＲＡＬＮＳＬＣ（配列番号９２０）、ＣＲＡＬＮＳＭＧＣ（配列番号９２１）、ＣＲＡＬＮＳＬＧＣ（配列番号９２２）、ＣＣＲＡＬＣ（配列番号９２３）、ＣＣＲＡＬＮＣ（配列番号９２４）、ＣＣＲＡＬＮＳＣ（配列番号９２５）、ＣＣＲＡＬＮＳＭＣ（配列番号９２６）、ＣＣＲＡＬＮＳＬＣ（配列番号９２７）、ＣＣＲＡＬＮＳＭＧＣ（配列番号９２８）、ＣＣＲＡＬＮＳＬＧＣ（配列番号９２９）、ＣＹＣＲＡＬＣ（配列番号９３０）、ＣＹＣＲＡＬＮＣ（配列番号９３１）、ＣＹＣＲＡＬＮＳＣ（配列番号９３２）、ＣＹＣＲＡＬＮＳＭＣ（配列番号９３３）、ＣＹＣＲＡＬＮＳＬＣ（配列番号９３４）、ＣＹＣＲＡＬＮＳＭＧＣ（配列番号９３５）、ＣＹＣＲＡＬＮＳＬＧＣ（配列番号９３６）、ＣＩＹＲＡＬＣ（配列番号９３７）、ＣＩＹＲＡＬＮＣ（配列番号９３８）、ＣＩＹＲＡＬＮＳＣ（配列番号９３９）、ＣＩＹＲＡＬＮＳＭＣ（配列番号９４０）、ＣＩＹＲＡＬＮＳＬＣ（配列番号９４１）、ＣＩＹＲＡＬＮＳＭＧＣ（配列番号９４２）、ＣＩＹＲＡＬＮＳＬＧＣ（配列番号９４３）、ＥＲＡＬＫ（配列番号９４４）、ＥＲＡＬＮＫ（配列番号９４５）、ＥＲＡＬＮＳＫ（配列番号９４６）、ＥＲＡＬＮＳＭＫ（配列番号９４７）、ＥＲＡＬＮＳＬＫ（配列番号９４８）、ＥＲＡＬＮＳＭＧＫ（配列番号９４９）、ＥＲＡＬＮＳＬＧＫ（配列番号９５０）、ＥＣＲＡＬＫ（配列番号９５１）、ＥＣＲＡＬＮＫ（配列番号９５２）、ＥＣＲＡＬＮＳＫ（配列番号９５３）、ＥＣＲＡＬＮＳＭＫ（配列番号９５４）、ＥＣＲＡＬＮＳＬＫ（配列番号９５５）、ＥＣＲＡＬＮＳＭＧＫ（配列番号９５６）、ＥＣＲＡＬＮＳＬＧＫ（配列番号９５７）、ＥＹＣＲＡＬＫ（配列番号９５８）、ＥＹＣＲＡＬＮＫ（配列番号９５９）、ＥＹＣＲＡＬＮＳＫ（配列番号９６０）、ＥＹＣＲＡＬＮＳＭＫ（配列番号９６１）、ＥＹＣＲＡＬＮＳＬＫ（配列番号９６２）、ＥＹＣＲＡＬＮＳＭＧＫ（配列番号９６３）、ＥＹＣＲＡＬＮＳＬＧＫ（配列番号９６４）、ＥＩＹＲＡＬＫ（配列番号９６５）、ＥＩＹＲＡＬＮＫ（配列番号９６６）、ＥＩＹＲＡＬＮＳＫ（配列番号９６７）、ＥＩＹＲＡＬＮＳＭＫ（配列番号９６８）、ＥＩＹＲＡＬＮＳＬＫ（配列番号９６９）、ＥＩＹＲＡＬＮＳＭＧＫ（配列番号９７０）、ＥＩＹＲＡＬＮＳＬＧＫ（配列番号９７１）、ＫＲＡＬＥ（配列番号９７２）、ＫＲＡＬＮＥ（配列番号９７３）、ＫＲＡＬＮＳＥ（配列番号９７４）、ＫＲＡＬＮＳＭＥ（配列番号９７５）、ＫＲＡＬＮＳＬＥ（配列番号９７６）、ＫＲＡＬＮＳＭＧＥ（配列番号９７７）、ＫＲＡＬＮＳＬＧＥ（配列番号９７８）、ＫＣＲＡＬＥ（配列番号９７９）、ＫＣＲＡＬＮＥ（配列番号９８０）、ＫＣＲＡＬＮＳＥ（配列番号９８１）、ＫＣＲＡＬＮＳＭＥ（配列番号９８２）、ＫＣＲＡＬＮＳＬＥ（配列番号９８３）、ＫＣＲＡＬＮＳＭＧＥ（配列番号９８４）、ＫＣＲＡＬＮＳＬＧＥ（配列番号９８５）、ＫＹＣＲＡＬＥ（配列番号９８６）、ＫＹＣＲＡＬＮＥ（配列番号９８７）、ＫＹＣＲＡＬＮＳＥ（配列番号９８８）、ＫＹＣＲＡＬＮＳＭＥ（配列番号９８９）、ＫＹＣＲＡＬＮＳＬＥ（配列番号９９０）、ＫＹＣＲＡＬＮＳＭＧＥ（配列番号９９１）、ＫＹＣＲＡＬＮＳＬＧＥ（配列番号９９２）、ＫＩＹＲＡＬＥ（配列番号９９３）、ＫＩＹＲＡＬＮＥ（配列番号９９４）、ＫＩＹＲＡＬＮＳＥ（配列番号９９５）、ＫＩＹＲＡＬＮＳＭＥ（配列番号９９６）、ＫＩＹＲＡＬＮＳＬＥ（配列番号９９７）、ＫＩＹＲＡＬＮＳＭＧＥ（配列番号９９８）、ＫＩＹＲＡＬＮＳＬＧＥ（配列番号９９９）、ＤＲＡＬＫ（配列番号１０００）、ＤＲＡＬＮＫ（配列番号１００１）、ＤＲＡＬＮＳＫ（配列番号１００２）、ＤＲＡＬＮＳＭＫ（配列番号１００３）、ＤＲＡＬＮＳＬＫ（配列番号１００４）、ＤＲＡＬＮＳＭＧＫ（配列番号１００５）、ＤＲＡＬＮＳＬＧＫ（配列番号１００６）、ＤＣＲＡＬＫ（配列番号１００７）、ＤＣＲＡＬＮＫ（配列番号１００８）、ＤＣＲＡＬＮＳＫ（配列番号１００９）、ＤＣＲＡＬＮＳＭＫ（配列番号１０１０）、ＤＣＲＡＬＮＳＬＫ（配列番号１０１１）、ＤＣＲＡＬＮＳＭＧＫ（配列番号１０１２）、ＤＣＲＡＬＮＳＬＧＫ（配列番号１０１３）、ＤＹＣＲＡＬＫ（配列番号１０１４）、ＤＹＣＲＡＬＮＫ（配列番号１０１５）、ＤＹＣＲＡＬＮＳＫ（配列番号１０１６）、ＤＹＣＲＡＬＮＳＭＫ（配列番号１０１７）、ＤＹＣＲＡＬＮＳＬＫ（配列番号１０１８）、ＤＹＣＲＡＬＮＳＭＧＫ（配列番号１０１９）、ＤＹＣＲＡＬＮＳＬＧＫ（配列番号１０２０）、ＤＩＹＲＡＬＫ（配列番号１０２１）、ＤＩＹＲＡＬＮＫ（配列番号１０２２）、ＤＩＹＲＡＬＮＳＫ（配列番号１０２３）、ＤＩＹＲＡＬＮＳＭＫ（配列番号１０２４）、ＤＩＹＲＡＬＮＳＬＫ（配列番号１０２５）、ＤＩＹＲＡＬＮＳＭＧＫ（配列番号１０２６）、ＤＩＹＲＡＬＮＳＬＧＫ（配列番号１０２７）、ＫＲＡＬＤ（配列番号１０２８）、ＫＲＡＬＮＤ（配列番号１０２９）、ＫＲＡＬＮＳＤ（配列番号１０３０）、ＫＲＡＬＮＳＭＤ（配列番号１０３１）、ＫＲＡＬＮＳＬＤ（配列番号１０３２）、ＫＲＡＬＮＳＭＧＤ（配列番号１０３３）、ＫＲＡＬＮＳＬＧＤ（配列番号１０３４）、ＫＣＲＡＬＤ（配列番号１０３５）、ＫＣＲＡＬＮＤ（配列番号１０３６）、ＫＣＲＡＬＮＳＤ（配列番号１０３７）、ＫＣＲＡＬＮＳＭＤ（配列番号１０３８）、ＫＣＲＡＬＮＳＬＤ（配列番号１０３９）、ＫＣＲＡＬＮＳＭＧＤ（配列番号１０４０）、ＫＣＲＡＬＮＳＬＧＤ（配列番号１０４１）、ＫＹＣＲＡＬＤ（配列番号１０４２）、ＫＹＣＲＡＬＮＤ（配列番号１０４３）、ＫＹＣＲＡＬＮＳＤ（配列番号１０４４）、ＫＹＣＲＡＬＮＳＭＤ（配列番号１０４５）、ＫＹＣＲＡＬＮＳＬＤ（配列番号１０４６）、ＫＹＣＲＡＬＮＳＭＧＤ（配列番号１０４７）、ＫＹＣＲＡＬＮＳＬＧＤ（配列番号１０４８）、ＫＩＹＲＡＬＤ（配列番号１０４９）、ＫＩＹＲＡＬＮＤ（配列番号１０５０）、ＫＩＹＲＡＬＮＳＤ（配列番号１０５１）、ＫＩＹＲＡＬＮＳＭＤ（配列番号１０５２）、ＫＩＹＲＡＬＮＳＬＤ（配列番号１０５３）、ＫＩＹＲＡＬＮＳＭＧＤ（配列番号１０５４）、ＫＩＹＲＡＬＮＳＬＧＤ（配列番号１０５５）、ＲＡＬＮＳ（配列番号１０５６）、ＲＡＬＮＳＭ（配列番号１０５７）、ＲＡＬＮＳＬ（配列番号１０５８）、ＲＡＬＮＳＭＧ（配列番号１０５９）、ＲＡＬＮＳＬＧ（配列番号１０６０）、ＣＲＡＬＮ（配列番号１０６１）、ＣＲＡＬＮＳ（配列番号１０６２）、ＣＲＡＬＮＳＭ（配列番号１０６３）、ＣＲＡＬＮＳＬ（配列番号１０６４）、ＣＲＡＬＮＳＭＧ（配列番号１０６５）、ＣＲＡＬＮＳＬＧ（配列番号１０６６）、ＹＣＲＡＬ（配列番号１０６７）、ＹＣＲＡＬＮ（配列番号１０６８）、ＹＣＲＡＬＮＳ（配列番号１０６９）、ＹＣＲＡＬＮＳＭ（配列番号１０７０）、ＹＣＲＡＬＮＳＬ（配列番号１０７１）、ＹＣＲＡＬＮＳＭＧ（配列番号１０７２）、ＹＣＲＡＬＮＳＬＧ（配列番号１０７３）、ＩＹＲＡＬ（配列番号１０７４）、ＩＹＲＡＬＮ（配列番号１０７５）、ＩＹＲＡＬＮＳ（配列番号１０７６）、ＩＹＲＡＬＮＳＭ（配列番号１０７７）、ＩＹＲＡＬＮＳＬ（配列番号１０７８）、ＩＹＲＡＬＮＳＭＧ（配列番号１０７９）およびＩＹＲＡＬＮＳＬＧ（配列番号１０８０）、ＣＹＡＬＣ（配列番号１０８１）、ＣＹＡＬＤＣ（配列番号１０８２）、ＣＹＡＬＤＡＣ（配列番号１０８３）、ＣＹＡＬＤＡＲＣ（配列番号１０８４）、ＣＹＡＬＤＡＲＧＣ（配列番号１０８５）、ＣＧＹＡＬＣ（配列番号１０８６）、ＣＧＹＡＬＤＣ（配列番号１０８７）、ＣＧＹＡＬＤＡＣ（配列番号１０８８）、ＣＧＹＡＬＤＡＲＣ（配列番号１０８９）、ＣＧＹＡＬＤＡＲＧＣ（配列番号１０９０）、ＣＴＧＹＡＬＣ（配列番号１０９１）、ＣＴＧＹＡＬＤＣ（配列番号１０９２）、ＣＴＧＹＡＬＤＡＣ（配列番号１０９３）、ＣＴＧＹＡＬＤＡＲＣ（配列番号１０９４）、ＣＴＧＹＡＬＤＡＲＧＣ（配列番号１０９５）、ＣＬＴＧＹＡＬＣ（配列番号１０９６）、ＣＬＴＧＹＡＬＤＣ（配列番号１０９７）、ＣＬＴＧＹＡＬＤＡＣ（配列番号１０９８）、ＣＬＴＧＹＡＬＤＡＲＣ（配列番号１０９９）、ＣＬＴＧＹＡＬＤＡＲＧＣ（配列番号１１００）、ＥＹＡＬＫ（配列番号１１０１）、ＥＹＡＬＤＫ（配列番号１１０２）、ＥＹＡＬＤＡＫ（配列番号１１０３）、ＥＹＡＬＤＡＲＫ（配列番号１１０４）、ＥＹＡＬＤＡＲＧＫ（配列番号１１０５）、ＥＧＹＡＬＫ（配列番号１１０６）、ＥＧＹＡＬＤＫ（配列番号１１０７）、ＥＧＹＡＬＤＡＫ（配列番号１１０８）、ＥＧＹＡＬＤＡＲＫ（配列番号１１０９）、ＥＧＹＡＬＤＡＲＧＫ（配列番号１１１０）、ＥＴＧＹＡＬＫ（配列番号１１１１）、ＥＴＧＹＡＬＤＫ（配列番号１１１２）、ＥＴＧＹＡＬＤＡＫ（配列番号１１１３）、ＥＴＧＹＡＬＤＡＲＫ（配列番号１１１４）、ＥＴＧＹＡＬＤＡＲＧＫ（配列番号１１１５）、ＥＬＴＧＹＡＬＫ（配列番号１１１６）、ＥＬＴＧＹＡＬＤＫ（配列番号１１１７）、ＥＬＴＧＹＡＬＤＡＫ（配列番号１１１８）、ＥＬＴＧＹＡＬＤＡＲＫ（配列番号１１１９）、ＥＬＴＧＹＡＬＤＡＲＧＫ（配列番号１１２０）、ＫＹＡＬＥ（配列番号１１２１）、ＫＹＡＬＤＥ（配列番号１１２２）、ＫＹＡＬＤＡＥ（配列番号１１２３）、ＫＹＡＬＤＡＲＥ（配列番号１１２４）、ＫＹＡＬＤＡＲＧＥ（配列番号１１２５）、ＫＧＹＡＬＥ（配列番号１１２６）、ＫＧＹＡＬＤＥ（配列番号１１２７）、ＫＧＹＡＬＤＡＥ（配列番号１１２８）、ＫＧＹＡＬＤＡＲＥ（配列番号１１２９）、ＫＧＹＡＬＤＡＲＧＥ（配列番号１１３０）、ＫＴＧＹＡＬＥ（配列番号１１３１）、ＫＴＧＹＡＬＤＥ（配列番号１１３２）、ＫＴＧＹＡＬＤＡＥ（配列番号１１３３）、ＫＴＧＹＡＬＤＡＲＥ（配列番号１１３４）、ＫＴＧＹＡＬＤＡＲＧＥ（配列番号１１３５）、ＫＬＴＧＹＡＬＥ（配列番号１１３６）、ＫＬＴＧＹＡＬＤＥ（配列番号１１３７）、ＫＬＴＧＹＡＬＤＡＥ（配列番号１１３８）、ＫＬＴＧＹＡＬＤＡＲＥ（配列番号１１３９）、ＫＬＴＧＹＡＬＤＡＲＧＥ（配列番号１１４０）、ＤＹＡＬＫ（配列番号１１４１）、ＤＹＡＬＤＫ（配列番号１１４２）
、ＤＹＡＬＤＡＫ（配列番号１１４３）、ＤＹＡＬＤＡＲＫ（配列番号１１４４）、ＤＹＡＬＤＡＲＧＫ（配列番号１１４５）、ＤＧＹＡＬＫ（配列番号１１４６）、ＤＧＹＡＬＤＫ（配列番号１１４７）、ＤＧＹＡＬＤＡＫ（配列番号１１４８）、ＤＧＹＡＬＤＡＲＫ（配列番号１１４９）、ＤＧＹＡＬＤＡＲＧＫ（配列番号１１５０）、ＤＴＧＹＡＬＫ（配列番号１１５１）、ＤＴＧＹＡＬＤＫ（配列番号１１５２）、ＤＴＧＹＡＬＤＡＫ（配列番号１１５３）、ＤＴＧＹＡＬＤＡＲＫ（配列番号１１５４）、ＤＴＧＹＡＬＤＡＲＧＫ（配列番号１１５５）、ＤＬＴＧＹＡＬＫ（配列番号１１５６）、ＤＬＴＧＹＡＬＤＫ（配列番号１１５７）、ＤＬＴＧＹＡＬＤＡＫ（配列番号１１５８）、ＤＬＴＧＹＡＬＤＡＲＫ（配列番号１１５９）、ＤＬＴＧＹＡＬＤＡＲＧＫ（配列番号１１６０）、ＫＹＡＬＤ（配列番号１１６１）、ＫＹＡＬＤＤ（配列番号１１６２）、ＫＹＡＬＤＡＤ（配列番号１１６３）、ＫＹＡＬＤＡＲＤ（配列番号１１６４）、ＫＹＡＬＤＡＲＧＤ（配列番号１１６５）、ＫＧＹＡＬＤ（配列番号１１６６）、ＫＧＹＡＬＤＤ（配列番号１１６７）、ＫＧＹＡＬＤＡＤ（配列番号１１６８）、ＫＧＹＡＬＤＡＲＤ（配列番号１１６９）、ＫＧＹＡＬＤＡＲＧＤ（配列番号１１７０）、ＫＴＧＹＡＬＤ（配列番号１１７１）、ＫＴＧＹＡＬＤＤ（配列番号１１７２）、ＫＴＧＹＡＬＤＡＤ（配列番号１１７３）、ＫＴＧＹＡＬＤＡＲＤ（配列番号１１７４）、ＫＴＧＹＡＬＤＡＲＧＤ（配列番号１１７５）、ＫＬＴＧＹＡＬＤ（配列番号１１７６）、ＫＬＴＧＹＡＬＤＤ（配列番号１１７７）、ＫＬＴＧＹＡＬＤＡＤ（配列番号１１７８）、ＫＬＴＧＹＡＬＤＡＲＤ（配列番号１１７９）、ＫＬＴＧＹＡＬＤＡＲＧＤ（配列番号１１８０）、ＹＡＬＤＡ（配列番号１１８１）、ＹＡＬＤＡＲ（配列番号１１８２）、ＹＡＬＤＡＲＧ（配列番号１１８３）、ＧＹＡＬＤ（配列番号１１８４）、ＧＹＡＬＤＡ（配列番号１１８５）、ＧＹＡＬＤＡＲ（配列番号１１８６）、ＧＹＡＬＤＡＲＧ（配列番号１１８７）、ＴＧＹＡＬ（配列番号１１８８）、ＴＧＹＡＬＤ（配列番号１１８９）、ＴＧＹＡＬＤＡ（配列番号１１９０）、ＴＧＹＡＬＤＡＲ（配列番号１１９１）、ＴＧＹＡＬＤＡＲＧ（配列番号１１９２）、ＬＴＧＹＡＬ（配列番号１１９３）、ＬＴＧＹＡＬＤ（配列番号１１９４）、ＬＴＧＹＡＬＤＡ（配列番号１１９５）、ＬＴＧＹＡＬＤＡＲ（配列番号１１９６）、ＬＴＧＹＡＬＤＡＲＧ（配列番号１１９７）、ＣＲＡＬＣ（配列番号９１６）、  ＣＲＡＬＮＣ（配列番号９１７）、ＣＲＡＬＮＡＣ（配列番号１１９８）、ＣＲＡＬＮＡＱＣ（配列番号１１９９）、ＣＲＡＬＮＡＬＣ（配列番号１２００）、ＣＲＡＬＮＡＱＧＣ（配列番号１２０１）、ＣＲＡＬＮＡＬＧＣ（配列番号１２０２）、ＣＣＲＡＬＣ（配列番号９２３）、ＣＣＲＡＬＮＣ（配列番号９２４）、ＣＣＲＡＬＮＡＣ（配列番号１２０３）、ＣＣＲＡＬＮＡＱＣ（配列番号１２０４）、ＣＣＲＡＬＮＡＬＣ（配列番号１２０５）、ＣＣＲＡＬＮＡＱＧＣ（配列番号１２０６）、ＣＣＲＡＬＮＡＬＧＣ（配列番号１２０７）、ＣＴＣＲＡＬＣ（配列番号１２０８）、ＣＴＣＲＡＬＮＣ（配列番号１２０９）、ＣＴＣＲＡＬＮＡＣ（配列���号１２１０）、ＣＴＣＲＡＬＮＡＱＣ（配列番号１２１１）、ＣＴＣＲＡＬＮＡＬＣ（配列番号１２１２）、ＣＴＣＲＡＬＮＡＱＧＣ（配列番号１２１３）、ＣＴＣＲＡＬＮＡＬＧＣ（配列番号１２１４）、ＣＩＴＣＲＡＬＣ（配列番号１２１５）、ＣＩＴＣＲＡＬＮＣ（配列番号１２１６）、ＣＩＴＣＲＡＬＮＡＣ（配列番号１２１７）、ＣＩＴＣＲＡＬＮＡＱＣ（配列番号１２１８）、ＣＩＴＣＲＡＬＮＡＬＣ（配列番号１２１９）、ＣＩＴＣＲＡＬＮＡＱＧＣ（配列番号１２２０）、ＣＩＴＣＲＡＬＮＡＬＧＣ（配列番号１２２１）、ＥＲＡＬＫ（配列番号９４４）、ＥＲＡＬＮＫ（配列番号９４５）、ＥＲＡＬＮＡＫ（配列番号１２２２）、ＥＲＡＬＮＡＱＫ（配列番号１２２３）、ＥＲＡＬＮＡＬＫ（配列番号１２２４）、ＥＲＡＬＮＡＱＧＫ（配列番号１２２５）、ＥＲＡＬＮＡＬＧＫ（配列番号１２２６）、ＥＣＲＡＬＫ（配列番号９５１）、ＥＣＲＡＬＮＫ（配列番号９５２）、ＥＣＲＡＬＮＡＫ（配列番号１２２７）、ＥＣＲＡＬＮＡＱＫ（配列番号１２２８）、ＥＣＲＡＬＮＡＬＫ（配列番号１２２９）、ＥＣＲＡＬＮＡＱＧＫ（配列番号１２３０）、ＥＣＲＡＬＮＡＬＧＫ（配列番号１２３１）、ＥＴＣＲＡＬＫ（配列番号１２３２）、ＥＴＣＲＡＬＮＫ（配列番号１２３３）、ＥＴＣＲＡＬＮＡＫ（配列番号１２３４）、ＥＴＣＲＡＬＮＡＱＫ（配列番号１２３５）、ＥＴＣＲＡＬＮＡＬＫ（配列番号１２３６）、ＥＴＣＲＡＬＮＡＱＧＫ（配列番号１２３７）、ＥＴＣＲＡＬＮＡＬＧＫ（配列番号１２３８）、ＥＩＴＣＲＡＬＫ（配列番号１２３９）、ＥＩＴＣＲＡＬＮＫ（配列番号１２４０）、ＥＩＴＣＲＡＬＮＡＫ（配列番号１２４１）、ＥＩＴＣＲＡＬＮＡＱＫ（配列番号１２４２）、ＥＩＴＣＲＡＬＮＡＬＫ（配列番号１２４３）、ＥＩＴＣＲＡＬＮＡＱＧＫ（配列番号１２４４）、ＥＩＴＣＲＡＬＮＡＬＧＫ（配列番号１２４５）、ＫＲＡＬＥ（配列番号９７２）、ＫＲＡＬＮＥ（配列番号９７３）、ＫＲＡＬＮＡＥ（配列番号１２４６）、ＫＲＡＬＮＡＱＥ（配列番号１２４７）、ＫＲＡＬＮＡＬＥ（配列番号１２４８）、ＫＲＡＬＮＡＱＧＥ（配列番号１２４９）、ＫＲＡＬＮＡＬＧＥ（配列番号１２５０）、ＫＣＲＡＬＥ（配列番号９７９）、ＫＣＲＡＬＮＥ  （配列番号９８０）、ＫＣＲＡＬＮＡＥ（配列番号１２５１）、ＫＣＲＡＬＮＡＱＥ（配列番号１２５２）、ＫＣＲＡＬＮＡＬＥ（配列番号１２５３）、ＫＣＲＡＬＮＡＱＧＥ（配列番号１２５４）、ＫＣＲＡＬＮＡＬＧＥ（配列番号１２５５）、ＫＴＣＲＡＬＥ（配列番号１２５６）、ＫＴＣＲＡＬＮＥ（配列番号１２５７）、ＫＴＣＲＡＬＮＡＥ（配列番号１２５８）、ＫＴＣＲＡＬＮＡＱＥ（配列番号１２５９）、ＫＴＣＲＡＬＮＡＬＥ（配列番号１２６０）、ＫＴＣＲＡＬＮＡＱＧＥ（配列番号１２６１）、ＫＴＣＲＡＬＮＡＬＧＥ（配列番号１２６２）、ＫＩＴＣＲＡＬＥ（配列番号１２６３）、ＫＩＴＣＲＡＬＮＥ（配列番号１２６４）、ＫＩＴＣＲＡＬＮＡＥ（配列番号１２６５）、ＫＩＴＣＲＡＬＮＡＱＥ（配列番号１２６６）、ＫＩＴＣＲＡＬＮＡＬＥ（配列番号１２６７）、ＫＩＴＣＲＡＬＮＡＱＧＥ（配列番号１２６８）、ＫＩＴＣＲＡＬＮＡＬＧＥ（配列番号１２６９）、ＤＲＡＬＫ（配列番号１０��０）、ＤＲＡＬＮＫ（配列番号１００１）、ＤＲＡＬＮＡＫ（配列番号１２７０）、ＤＲＡＬＮＡＱＫ（配列番号１２７１）、ＤＲＡＬＮＡＬＫ（配列番号１２７２）、ＤＲＡＬＮＡＱＧＫ（配列番号１２７３）、ＤＲＡＬＮＡＬＧＫ（配列番号１２７４）、ＤＣＲＡＬＫ（配列番号１００７）、ＤＣＲＡＬＮＫ（配列番号１００８）、ＤＣＲＡＬＮＡＫ（配列番号１２７５）、ＤＣＲＡＬＮＡＱＫ（配列番号１２７６）、ＤＣＲＡＬＮＡＬＫ（配列番号１２７７）、ＤＣＲＡＬＮＡＱＧＫ（配列番号１２７８）、ＤＣＲＡＬＮＡＬＧＫ（配列番号１２７９）、ＤＴＣＲＡＬＫ（配列番号１２８０）、ＤＴＣＲＡＬＮＫ（配列番号１２８１）、ＤＴＣＲＡＬＮＡＫ（配列番号１２８２）、ＤＴＣＲＡＬＮＡＱＫ（配列番号１２８３）、ＤＴＣＲＡＬＮＡＬＫ（配列番号１２８４）、ＤＴＣＲＡＬＮＡＱＧＫ（配列番号１２８５）、ＤＴＣＲＡＬＮＡＬＧＫ（配列番号１２８６）、ＤＩＴＣＲＡＬＫ（配列番号１２８７）、ＤＩＴＣＲＡＬＮＫ（配列番号１２８８）、ＤＩＴＣＲＡＬＮＡＫ（配列番号１２８９）、ＤＩＴＣＲＡＬＮＡＱＫ（配列番号１２９０）、ＤＩＴＣＲＡＬＮＡＬＫ（配列番号１２９１）、ＤＩＴＣＲＡＬＮＡＱＧＫ（配列番号１２９２）、ＤＩＴＣＲＡＬＮＡＬＧＫ（配列番号１２９３）、ＫＲＡＬＤ（配列番号１０２８）、ＫＲＡＬＮＤ（配列番号１０２９）、ＫＲＡＬＮＡＤ（配列番号１２９４）、ＫＲＡＬＮＡＱＤ（配列番号１２９５）、ＫＲＡＬＮＡＬＤ（配列番号１２９６）、ＫＲＡＬＮＡＱＧＤ（配列番号１２９７）、ＫＲＡＬＮＡＬＧＤ（配列番号１２９８）、ＫＣＲＡＬＤ（配列番号１０３４）、ＫＣＲＡＬＮＤ（配列番号１０３５）、ＫＣＲＡＬＮＡＤ（配列番号１２９９）、ＫＣＲＡＬＮＡＱＤ（配列番号１３００）、ＫＣＲＡＬＮＡＬＤ（配列番号１３０１）、ＫＣＲＡＬＮＡＱＧＤ（配列番号１３０２）、ＫＣＲＡＬＮＡＬＧＤ（配列番号１３０３）、ＫＴＣＲＡＬＤ（配列番号１３０４）、ＫＴＣＲＡＬＮＤ（配列番号１３０５）、ＫＴＣＲＡＬＮＡＤ（配列番号１３０６）、ＫＴＣＲＡＬＮＡＱＤ（配列番号１３０７）、ＫＴＣＲＡＬＮＡＬＤ（配列番号１３０８）、ＫＴＣＲＡＬＮＡＱＧＤ（配列番号１３０９）、ＫＴＣＲＡＬＮＡＬＧＤ（配列番号１３１０）、ＫＩＴＣＲＡＬＤ（配列番号１３１１）、ＫＩＴＣＲＡＬＮＤ（配列番号１３１２）、ＫＩＴＣＲＡＬＮＡＤ  （配列番号１３１３）、ＫＩＴＣＲＡＬＮＡＱＤ（配列番号１３１４）、ＫＩＴＣＲＡＬＮＡＬＤ（配列番号１３１５）、ＫＩＴＣＲＡＬＮＡＱＧＤ（配列番号１３１６）、ＫＩＴＣＲＡＬＮＡＬＧＤ（配列番号１３１７）、ＲＡＬＮＡ（配列番号１３１８）、ＲＡＬＮＡＱ（配列番号１３１９）、ＲＡＬＮＡＬ（配列番号１３２０）、ＲＡＬＮＡＱＧ（配列番号１３２１）、ＲＡＬＮＡＬＧ（配列番号１３２２）、ＣＲＡＬＮ（配列番号１３２３）、ＣＲＡＬＮＡ（配列番号１３２４）、ＣＲＡＬＮＡＱ（配列番号１３２５）、ＣＲＡＬＮＡＬ（配列番号１３２６）、ＣＲＡＬＮＡＱＧ（配列番号１３２７）、ＣＲＡＬＮＡＬＧ（配列番号１３２８）、ＴＣＲＡＬ（配列番号１３２９）、ＴＣＲＡＬＮ（配列番号１３３０）、ＴＣＲＡＬＮＡ（配列番号１３３１）、ＴＣＲＡＬＮＡＱ（配列番号１３３２）、ＴＣＲＡＬＮＡＬ（配列番号１３３３）、ＴＣＲＡＬＮＡＱＧ（配列番号１３３４）、ＴＣＲＡＬＮＡＬＧ（配列番号１３３５）、ＩＴＣＲＡＬ（配列番号１３３６）、ＩＴＣＲＡＬＮ（配列番号１３３７）、ＩＴＣＲＡＬＮＡ（配列番号１３３８）、ＩＴＣＲＡＬＮＡＱ（配列番号１３３９）、ＩＴＣＲＡＬＮＡＬ（配列番号１３４０）、ＩＴＣＲＡＬＮＡＱＧ（配列番号１３４１）およびＩＴＣＲＡＬＮＡＬＧ（配列番号１３４２）、
からなる群より選択される配列を含む、調節剤。
【請求項１４】  抗体またはその抗原結合フラグメントを含む調節剤であって、該調節剤は、
（ａ）以下：Ｎ−Ａｃ−ＩＹＲＡＬＮＳＭＧ−ＮＨ２（配列番号：１７８）、Ｎ−Ａｃ−ＩＹＲＡＬＮＳＬＧ−ＮＨ２（配列番号：１７９）、Ｎ−Ａｃ−ＬＴＧＹＡＬＤＡＲＧ−ＮＨ２（配列番号：１９９）、Ｎ−Ａｃ−ＩＴＣＲＡＬＮＡＱＧ−ＮＨ２（配列番号：２２４）、およびＮ−Ａｃ−ＩＴＣＲＡＬＮＡＬＧ−ＮＨ２（配列番号：２２５）からなる群より選択されるデスモグレインＣＡＲ配列に特異的に結合し；そして
（ｂ）デスモグレイン媒介機能を調節する、
、調節剤。
【請求項１５】  請求項１〜２のいずれか１項に記載の調節剤であって、該調節剤は、以下
ＹＡＴ、ＹＡＴＴ（配列番号２２６）、ＹＡＴＴＡ（配列番号２２７）、ＹＡＴＴＡＤ（配列番号２２８）、ＹＡＴＴＡＤＧ（配列番号２２９）、ＧＹＡＴ（配列番号２３０）、ＧＹＡＴＴ（配列番号２３１）、ＧＹＡＴＴＡ（配列番号２３２）、ＧＹＡＴＴＡＤ（配列番号２３３）、ＧＹＡＴＴＡＤＧ（配列番号２３４）、ＡＹＡＴ（配列番号２３５）、ＡＹＡＴＴ（配列番号２３６）、ＡＹＡＴＴＡ（配列番号２３７）、ＡＹＡＴＴＡＤ（配列番号２３８）、ＡＹＡＴＴＡＤＧ（配列番号２３９）、ＹＧＹＡＴ（配列番号２４０）、ＹＧＹＡＴＴ（配列番号２４１）、ＹＧＹＡＴＴＡ（配列番号２４２）、ＹＧＹＡＴＴＡＤ（配列番号２４３）、ＹＧＹＡＴＴＡＤＧ（配列番号２４４）、ＹＡＹＡＴ（配列番号２４５）、ＹＡＹＡＴＴ（配列番号２４６）、ＹＡＹＡＴＴＡ（配列番号２４７）、ＹＡＹＡＴＴＡＤ（配列番号２４８）、ＹＡＹＡＴＴＡＤＧ（配列番号２４９）、ＬＹＧＹＡＴ（配列番号２５０）、ＬＹＧＹＡＴＴ（配列番号２５１）、ＬＹＧＹＡＴＴＡ（配列番号２５２）、ＬＹＧＹＡＴＴＡＤ（配列番号２５３）、ＬＹＧＹＡＴＴＡＤＧ（配列番号２５４）、ＬＹＡＹＡＴ（配列番号２５５）、ＬＹＡＹＡＴＴ（配列番号２５６）、ＬＹＡＹＡＴＴＡ（配列番号２５７）、ＬＹＡＹＡＴＴＡＤ（配列番号２５８）、ＬＹＡＹＡＴＴＡＤＧ（配列番号２５９）、ＶＹＧＹＡＴ（配列番号２６０）、ＶＹＧＹＡＴＴ（配列番号２６１）、ＶＹＧＹＡＴＴＡ（配列番号２６２）、ＶＹＧＹＡＴＴＡＤ（配列番号２６３）、ＶＹＧＹＡＴＴＡＤＧ（配列番号２６４）、ＶＹＡＹＡＴ（配列番号２６５）、ＶＹＡＹＡＴＴ（配列番号２６６）、ＶＹＡＹＡＴＴＡ（配列番号２６７）、ＶＹＡＹＡＴＴＡＤ（配列番号２６８）、ＶＹＡＹＡＴＴＡＤＧ（配列番号２６９）、ＩＹＧＹＡＴ（配列番号２７０）、ＩＹＧＹＡＴＴ（配列番号２７１）、ＩＹＧＹＡＴＴＡ（配列番号２７２）、ＩＹＧＹＡＴＴＡＤ（配列番号２７３）、ＩＹＧＹＡＴＴＡＤＧ（配列番号２７４）、ＩＹＡＹＡＴ（配列番号２７５）、ＩＹＡＹＡＴＴ（配列番号２７６）、ＩＹＡＹＡＴＴＡ（配列番号２７７）、ＩＹＡＹＡＴＴＡＤ（配列番号２７８）もしくはＩＹＡＹＡＴＴＡＤＧ（配列番号２７９）、ＦＡＴ、ＦＡＴＴ（配列番号２８６）、ＦＡＴＴＰ（配列番号２８７）、ＦＡＴＴＰＤ（配列番号２８８）、ＦＡＴＴＰＤＧ（配列番号２８９）、ＡＦＡＴ（配列番号２９０）、ＡＦＡＴＴ（配列番号２９１）、ＡＦＡＴＴＰ（配列番号２９２）、ＡＦＡＴＴＰＤ（配列番号２９３）、ＡＦＡＴＴＰＤＧ（配列番号２９４）、ＩＡＦＡＴ（配列番号２９５）、ＩＡＦＡＴＴ（配列番号２９６）、ＩＡＦＡＴＴＰ（配列番号２９７）、ＩＡＦＡＴＴＰＤ（配列番号２９８）、ＩＡＦＡＴＴＰＤＧ（配列番号２９９）、ＩＩＡＦＡＴ（配列番号３００）、ＩＩＡＦＡＴＴ（配列番号３０１）、ＩＩＡＦＡＴＴＰ（配列番号３０２）、ＩＩＡＦＡＴＴＰＤ（配列番号３０３）、ＩＩＡＦＡＴＴＰＤＧ（配列番号３０４）、ＬＩＡＦＡＴ（配列番号３０５）、ＬＩＡＦＡＴＴ（配列番号３０６）、ＬＩＡＦＡＴＴＰ（配列番号３０７）、ＬＩＡＦＡＴＴＰＤ（配列番号３０８）、ＬＩＡＦＡＴＴＰＤＧ（配列番号３０９）、ＹＡＳ、ＹＡＳＴ（配列番号３１２）、ＹＡＳＴＡ（配列番号３１３）、ＹＡＳＴＡＤ（配列番号３１４）、ＹＡＳＴＡＤＧ（配列番号３１５）、ＡＹＡＳ（配列番号３１６）、ＡＹＡＳＴ（配列番号３１７）、ＡＹＡＳＴＡ（配列番号３１８）、ＡＹＡＳＴＡＤ（配列番号３１９）、ＡＹＡＳＴＡＤＧ（配列番号３２０）、ＩＡＹＡＳ（配列番号３２１）、ＩＡＹＡＳＴ（配列番号３２２）、ＩＡＹＡＳＴＡ（配列番号３２３）、ＩＡＹＡＳＴＡＤ（配列番号３２４）、ＩＡＹＡＳＴＡＤＧ（配列番号３２５）、ＬＩＡＹＡＳ（配列番号３２６）、ＬＩＡＹＡＳＴ（配列番号３２７）、ＬＩＡＹＡＳＴＡ（配列番号３２８）、ＬＩＡＹＡＳＴＡＤ（配列番号３２９）、ＬＩＡＹＡＳＴＡＤＧ（配列番号３３０）
からなる群より選択される１つ以上のデスモコリンＣＡＲ配列を含む、
調節剤。
【請求項１６】  請求項１〜２のいずれか１項に記載の調節剤であって、該調節剤が、以下の配列：Ｎ−Ａｃ−ＬＹＧＹＡＴＴＡＤＧ−ＮＨ２（配列番号：２８０）、Ｎ−Ａｃ−ＬＹＡＹＡＴＴＡＤＧ−ＮＨ２（配列番号２８１）、Ｎ−Ａｃ−ＶＹＧＹＡＴＴＡＤＧ−ＮＨ２（配列番号２８２）、Ｎ−Ａｃ−ＶＹＡＹＡＴＴＡＤＧ−ＮＨ２（配列番号２８３）、Ｎ−Ａｃ−ＩＹＧＹＡＴＴＡＤＧ−ＮＨ２（配列番号２８４）、Ｎ−Ａｃ−ＩＹＡＹＡＴＴＡＤＧ−ＮＨ２（配列番号２８５）、Ｎ−Ａｃ−ＩＩＡＦＡＴＴＰＤＧ−ＮＨ２（配列番号３１０）、Ｎ−Ａｃ−ＬＩＡＦＡＴＴＰＤＧ−ＮＨ２（配列番号：３１１）、またはＮ−Ａｃ−ＬＩＡＹＡＳＴＡＤＧ−ＮＨ２（配列番号３３１）を有する直線状ペプチドを含む、調節剤。
【請求項１７】  デスモコリンＣＡＲ配列が、環状ペプチド内に存在する、請求項１５に記載の調節剤。
【請求項１８】  前記環状ペプチドが、以下：
ＣＹＡＴＣ（配列番号１３４３）、ＣＹＡＴＴＣ（配列番号１３４４）、ＣＹＡＴＴＡＣ（配列番号１３４５）、ＣＹＡＴＴＡＤＣ（配列番号１３４６）、ＣＹＡＴＴＡＤＧＣ（配列番号１３４７）、ＣＧＹＡＴＣ（配列番号１３４８）、ＣＧＹＡＴＴＣ（配列番号１３４９）、ＣＧＹＡＴＴＡＣ（配列番号１３５０）、ＣＧＹＡＴＴＡＤＣ（配列番号１３５１）、ＣＧＹＡＴＴＡＤＧＣ（配列番号１３５２）、ＣＡＹＡＴＣ（配列番号１３５３）、ＣＡＹＡＴＴＣ（配列番号１３５４）、ＣＡＹＡＴＴＡＣ（配列番号１３５５）、ＣＡＹＡＴＴＡＤＣ（配列番号１３５６）、ＣＡＹＡＴＴＡＤＧＣ（配列番号１３５７）、ＣＹＧＹＡＴＣ（配列番号１３５８）、ＣＹＧＹＡＴＴＣ（配列番号１３５９）、ＣＹＧＹＡＴＴＡＣ（配列番号１３６０）、ＣＹＧＹＡＴＴＡＤＣ（配列番号１３６１）、ＣＹＧＹＡＴＴＡＤＧＣ（配列番号１３６２）、ＣＹＡＹＡＴＣ（配列番号１３６３）、ＣＹＡＹＡＴＴＣ  （配列番号１３６４）、ＣＹＡＹＡＴＴＡＣ（配列番号１３６５）、ＣＹＡＹＡＴＴＡＤＣ（配列番号１３６６）、ＣＹＡＹＡＴＴＡＤＧＣ（配列番号１３６７）、ＣＬＹＧＹＡＴＣ（配列番号１３６８）、ＣＬＹＧＹＡＴＴＣ（配列番号１３６９）、ＣＬＹＧＹＡＴＴＡＣ（配列番号１３７０）、ＣＬＹＧＹＡＴＴＡＤＣ（配列番号１３７１）、ＣＬＹＧＹＡＴＴＡＤＧＣ（配列番号１３７２）、ＣＬＹＡＹＡＴＣ（配列番号１３７３）、ＣＬＹＡＹＡＴＴＣ（配列番号１３７４）、ＣＬＹＡＹＡＴＴＡＣ（配列番号１３７５）、ＣＬＹＡＹＡＴＴＡＤＣ（配列番号１３７６）、ＣＬＹＡＹＡＴＴＡＤＧＣ（配列番号１３７７）、ＣＶＹＧＹＡＴＣ（配列番号１３７８）、ＣＶＹＧＹＡＴＴＣ（配列番号１３７９）、ＣＶＹＧＹＡＴＴＡＣ（配列番号１３８０）、ＣＶＹＧＹＡＴＴＡＤＣ（配列番号１３８１）、ＣＶＹＧＹＡＴＴＡＤＧＣ（配列番号１３８２）、ＣＶＹＡＹＡＴＣ（配列番号１３８３）、ＣＶＹＡＹＡＴＴＣ（配列番号１３８４）、ＣＶＹＡＹＡＴＴＡＣ（配列番号１３８５）、ＣＶＹＡＹＡＴＴＡＤＣ（配列番号１３８６）、ＣＶＹＡＹＡＴＴＡＤＧＣ（配列番号１３８７）、ＣＩＹＧＹＡＴＣ（配列番号１３８８）、ＣＩＹＧＹＡＴＴＣ（配列番号１３８９）、ＣＩＹＧＹＡＴＴＡＣ（配列番号１３９０）、ＣＩＹＧＹＡＴＴＡＤＣ（配列番号１３９１）、ＣＩＹＧＹＡＴＴＡＤＧＣ（配列番号１３９２）、ＣＩＹＡＹＡＴＣ（配列番号１３９３）、ＣＩＹＡＹＡＴＴＣ（配列番号１３９４）、ＣＩＹＡＹＡＴＴＡＣ（配列番号１３９５）、ＣＩＹＡＹＡＴＴＡＤＣ（配列番号１３９６）、ＣＩＹＡＹＡＴＴＡＤＧＣ（配列番号１３９７）、ＥＹＡＴＫ（配列番号１３９８）、ＥＹＡＴＴＫ（配列番号１３９９）、ＥＹＡＴＴＡＫ（配列番号１４００）、ＥＹＡＴＴＡＤＫ（配列番号１４０１）、ＥＹＡＴＴＡＤＧＫ（配列番号１４０２）、ＥＧＹＡＴＫ（配列番号１４０３）、ＥＧＹＡＴＴＫ（配列番号１４０４）、ＥＧＹＡＴＴＡＫ（配列番号１４０５）、ＥＧＹＡＴＴＡＤＫ（配列番号１４０６）、ＥＧＹＡＴＴＡＤＧＫ（配列番号１４０７）、ＥＡＹＡＴＫ（配列番号１４０８）、ＥＡＹＡＴＴＫ（配列番号１４０９）、ＥＡＹＡＴＴＡＫ（配列番号１４１０）、ＥＡＹＡＴＴＡＤＫ（配列番号１���１１）、ＥＡＹＡＴＴＡＤＧＫ（配列番号１４１２）、ＥＹＧＹＡＴＫ（配列番号１４１３）、ＥＹＧＹＡＴＴＫ（配列番号１４１４）、ＥＹＧＹＡＴＴＡＫ（配列番号１４１５）、ＥＹＧＹＡＴＴＡＤＫ（配列番号１４１６）、ＥＹＧＹＡＴＴＡＤＧＫ（配列番号１４１７）、ＥＹＡＹＡＴＫ（配列番号１４１８）、ＥＹＡＹＡＴＴＫ（配列番号１４１９）、ＥＹＡＹＡＴＴＡＫ（配列番号１４２０）、ＥＹＡＹＡＴＴＡＤＫ（配列番号１４２１）、ＥＹＡＹＡＴＴＡＤＧＫ（配列番号１４２２）、ＥＬＹＧＹＡＴＫ（配列番号１４２３）、ＥＬＹＧＹＡＴＴＫ（配列番号１４２４）、ＥＬＹＧＹＡＴＴＡＫ（配列番号１４２５）、ＥＬＹＧＹＡＴＴＡＤＫ（配列番号１４２６）、ＥＬＹＧＹＡＴＴＡＤＧＫ（配列番号１４２７）、ＥＬＹＡＹＡＴＫ（配列番号１４２８）、ＥＬＹＡＹＡＴＴＫ（配列番号１４２９）、ＥＬＹＡＹＡＴＴＡＫ（配列番号１４３０）、ＥＬＹＡＹＡＴＴＡＤＫ（配列番号１４３１）、ＥＬＹＡＹＡＴＴＡＤＧＫ（配列番号１４３２）、ＥＶＹＧＹＡＴＫ（配列番号１４３３）、ＥＶＹＧＹＡＴＴＫ（配列番号１４３４）、ＥＶＹＧＹＡＴＴＡＫ（配列番号１４３５）、ＥＶＹＧＹＡＴＴＡＤＫ（配列番号１４３６）、ＥＶＹＧＹＡＴＴＡＤＧＫ（配列番号１４３７）、ＥＶＹＡＹＡＴＫ（配列番号１４３８）、ＥＶＹＡＹＡＴＴＫ（配列番号１４３９）、ＥＶＹＡＹＡＴＴＡＫ（配列番号１４４０）、ＥＶＹＡＹＡＴＴＡＤＫ（配列番号１４４１）、ＥＶＹＡＹＡＴＴＡＤＧＫ（配列番号１４４２）、ＥＩＹＧＹＡＴＫ（配列番号１４４３）、ＥＩＹＧＹＡＴＴＫ（配列番号１４４４）、ＥＩＹＧＹＡＴＴＡＫ（配列番号１４４５）、ＥＩＹＧＹＡＴＴＡＤＫ（配列番号１４４６）、ＥＩＹＧＹＡＴＴＡＤＧＫ（配列番号１４４７）、ＥＩＹＡＹＡＴＫ（配列番号１４４８）、ＥＩＹＡＹＡＴＴＫ（配列番号１４４９）、ＥＩＹＡＹＡＴＴＡＫ（配列番号１４５０）、ＥＩＹＡＹＡＴＴＡＤＫ（配列番号１４５１）、ＥＩＹＡＹＡＴＴＡＤＧＫ（配列番号１４５２）、ＫＹＡＴＥ（配列番号１４５３）、ＫＹＡＴＴＥ（配列番号１４５４）、ＫＹＡＴＴＡＥ（配列番号１４５５）、ＫＹＡＴＴＡＤＥ（配列番号１４５６）、ＫＹＡＴＴＡＤＧＥ（配列番号１４５７）、ＫＧＹＡＴＥ（配列番号１４５８）、ＫＧＹＡＴＴＥ（配列番号１４５９）、ＫＧＹＡＴＴＡＥ（配列番号１４６０）、ＫＧＹＡＴＴＡＤＥ（配列番号１４６１）、ＫＧＹＡＴＴＡＤＧＥ（配列番号１４６２）、ＫＡＹＡＴＥ（配列番号１４６３）、ＫＡＹＡＴＴＥ（配列番号１４６４）、ＫＡＹＡＴＴＡＥ（配列番号１４６５）、ＫＡＹＡＴＴＡＤＥ（配列番号１４６６）、ＫＡＹＡＴＴＡＤＧＥ（配列番号１４６７）、ＫＹＧＹＡＴＥ（配列番号１４６８）、ＫＹＧＹＡＴＴＥ（配列番号１４６９）、ＫＹＧＹＡＴＴＡＥ（配列番号１４７０）、ＫＹＧＹＡＴＴＡＤＥ（配列番号１４７１）、ＫＹＧＹＡＴＴＡＤＧＥ（配列番号１４７２）、ＫＹＡＹＡＴＥ（配列番号１４７３）、ＫＹＡＹＡＴＴＥ（配列番号１４７４）、ＫＹＡＹＡＴＴＡＥ（配列番号１４７５）、ＫＹＡＹＡＴＴＡＤＥ（配列番号１４７６）、ＫＹＡＹＡＴＴＡＤＧＥ（配列番号１４７７）、ＫＬＹＧＹＡＴＥ（配列番号１４７８）、ＫＬＹＧＹＡＴＴＥ（���列番号１４７９）、ＫＬＹＧＹＡＴＴＡＥ（配列番号１４８０）、ＫＬＹＧＹＡＴＴＡＤＥ（配列番号１４８１）、ＫＬＹＧＹＡＴＴＡＤＧＥ（配列番号１４８２）、ＫＬＹＡＹＡＴＥ（配列番号１４８３）、ＫＬＹＡＹＡＴＴＥ（配列番号１４８４）、ＫＬＹＡＹＡＴＴＡＥ（配列番号１４８５）、ＫＬＹＡＹＡＴＴＡＤＥ（配列番号１４８６）、ＫＬＹＡＹＡＴＴＡＤＧＥ（配列番号１４８７）、ＫＶＹＧＹＡＴＥ（配列番号１４８８）、ＫＶＹＧＹＡＴＴＥ（配列番号１４８９）、ＫＶＹＧＹＡＴＴＡＥ（配列番号１４９０）、ＫＶＹＧＹＡＴＴＡＤＥ（配列番号１４９１）、ＫＶＹＧＹＡＴＴＡＤＧＥ（配列番号１４９２）、ＫＶＹＡＹＡＴＥ（配列番号１４９３）、ＫＶＹＡＹＡＴＴＥ（配列番号１４９４）、ＫＶＹＡＹＡＴＴＡＥ（配列番号１４９５）、ＫＶＹＡＹＡＴＴＡＤＥ（配列番号１４９６）、ＫＶＹＡＹＡＴＴＡＤＧＥ（配列番号１４９７）、ＫＩＹＧＹＡＴＥ（配列番号１４９８）、ＫＩＹＧＹＡＴＴＥ（配列番号１４９９）、ＫＩＹＧＹＡＴＴＡＥ（配列番号１５００）、ＫＩＹＧＹＡＴＴＡＤＥ（配列番号１５０１）、ＫＩＹＧＹＡＴＴＡＤＧＥ（配列番号１５０２）、ＫＩＹＡＹＡＴＥ（配列番号１５０３）、ＫＩＹＡＹＡＴＴＥ（配列番号１５０４）、ＫＩＹＡＹＡＴＴＡＥ（配列番号１５０５）、ＫＩＹＡＹＡＴＴＡＤＥ（配列番号１５０６）、ＫＩＹＡＹＡＴＴＡＤＧＥ（配列番号１５０７）、ＤＹＡＴＫ（配列番号１５０８）、ＤＹＡＴＴＫ（配列番号１５０９）、ＤＹＡＴＴＡＫ（配列番号１５１０）、ＤＹＡＴＴＡＤＫ（配列番号１５１１）、ＤＹＡＴＴＡＤＧＫ（配列番号１５１２）、ＤＧＹＡＴＫ（配列番号１５１３）、ＤＧＹＡＴＴＫ（配列番号１５１４）、ＤＧＹＡＴＴＡＫ（配列番号１５１５）、ＤＧＹＡＴＴＡＤＫ（配列番号１５１６）、ＤＧＹＡＴＴＡＤＧＫ（配列番号１５１７）、ＤＡＹＡＴＫ（配列番号１５１８）、ＤＡＹＡＴＴＫ（配列番号１５１９）、ＤＡＹＡＴＴＡＫ（配列番号１５２０）、ＤＡＹＡＴＴＡＤＫ（配列番号１５２１）、ＤＡＹＡＴＴＡＤＧＫ（配列番号１５２２）、ＤＹＧＹＡＴＫ（配列番号１５２３）、ＤＹＧＹＡＴＴＫ（配列番号１５２４）、ＤＹＧＹＡＴＴＡＫ（配列番号１５２５）、ＤＹＧＹＡＴＴＡＤＫ（配列番号１５２６）、ＤＹＧＹＡＴＴＡＤＧＫ  （配列番号１５２７）、ＤＹＡＹＡＴＫ（配列番号１５２８）、ＤＹＡＹＡＴＴＫ（配列番号１５２９）、ＤＹＡＹＡＴＴＡＫ（配列番号１５３０）、ＤＹＡＹＡＴＴＡＤＫ（配列番号１５３１）、ＤＹＡＹＡＴＴＡＤＧＫ（配列番号１５３２）、ＤＬＹＧＹＡＴＫ（配列番号１５３３）、ＤＬＹＧＹＡＴＴＫ（配列番号１５３４）、ＤＬＹＧＹＡＴＴＡＫ（配列番号１５３５）、ＤＬＹＧＹＡＴＴＡＤＫ（配列番号１５３６）、ＤＬＹＧＹＡＴＴＡＤＧＫ（配列番号１５３７）、ＤＬＹＡＹＡＴＫ（配列番号１５３８）、ＤＬＹＡＹＡＴＴＫ（配列番号１５３９）、ＤＬＹＡＹＡＴＴＡＫ（配列番号１５４０）、ＤＬＹＡＹＡＴＴＡＤＫ（配列番号１５４１）、ＤＬＹＡＹＡＴＴＡＤＧＫ（配列番号１５４２）、ＤＶＹＧＹＡＴＫ（配列番号１５４３）、ＤＶＹＧＹＡＴＴＫ（配列番号１５４４）、ＤＶＹＧＹＡＴＴＡＫ（配列番号１５４５）、ＤＶＹＧＹＡＴＴＡＤＫ（配��番号１５４６）、ＤＶＹＧＹＡＴＴＡＤＧＫ（配列番号１５４７）、ＤＶＹＡＹＡＴＫ（配列番号１５４８）、ＤＶＹＡＹＡＴＴＫ（配列番号１５４９）、ＤＶＹＡＹＡＴＴＡＫ（配列番号１５５０）、ＤＶＹＡＹＡＴＴＡＤＫ（配列番号１５５１）、ＤＶＹＡＹＡＴＴＡＤＧＫ（配列番号１５５２）、ＤＩＹＧＹＡＴＫ（配列番号１５５３）、ＤＩＹＧＹＡＴＴＫ（配列番号１５５４）、ＤＩＹＧＹＡＴＴＡＫ（配列番号１５５５）、ＤＩＹＧＹＡＴＴＡＤＫ（配列番号１５５６）、ＤＩＹＧＹＡＴＴＡＤＧＫ（配列番号１５５７）、ＤＩＹＡＹＡＴＫ（配列番号１５５８）、ＤＩＹＡＹＡＴ
ＴＫ（配列番号１５５９）、ＤＩＹＡＹＡＴＴＡＫ（配列番号１５６０）、ＤＩＹＡＹＡＴＴＡＤＫ（配列番号１５６１）、ＤＩＹＡＹＡＴＴＡＤＧＫ（配列番号１５６２）、ＫＹＡＴＤ（配列番号１５６３）、ＫＹＡＴＴＤ（配列番号１５６４）、ＫＹＡＴＴＡＤ（配列番号１５６５）、ＫＹＡＴＴＡＤＤ（配列番号１５６６）、ＫＹＡＴＴＡＤＧＤ（配列番号１５６７）、ＫＧＹＡＴＤ（配列番号１５６８）、ＫＧＹＡＴＴＤ（配列番号１５６９）、ＫＧＹＡＴＴＡＤ（配列番号１５７０）、ＫＧＹＡＴＴＡＤＤ（配列番号１５７１）、ＫＧＹＡＴＴＡＤＧＤ（配列番号１５７２）、ＫＡＹＡＴＤ（配列番号１５７３）、ＫＡＹＡＴＴＤ（配列番号１５７４）、ＫＡＹＡＴＴＡＤ（配列番号１５７５）、ＫＡＹＡＴＴＡＤＤ（配列番号１５７６）、ＫＡＹＡＴＴＡＤＧＤ（配列番号１５７７）、ＫＹＧＹＡＴＤ（配列番号１５７８）、ＫＹＧＹＡＴＴＤ（配列番号１５７９）、ＫＹＧＹＡＴＴＡＤ（配列番号１５８０）、ＫＹＧＹＡＴＴＡＤＤ（配列番号１５８１）、ＫＹＧＹＡＴＴＡＤＧＤ（配列番号１５８２）、ＫＹＡＹＡＴＤ（配列番号１５８３）、ＫＹＡＹＡＴＴＤ（配列番号１５８４）、ＫＹＡＹＡＴＴＡＤ（配列番号１５８５）、ＫＹＡＹＡＴＴＡＤＤ（配列番号１５８６）、ＫＹＡＹＡＴＴＡＤＧＤ（配列番号１５８７）、ＫＬＹＧＹＡＴＤ（配列番号１５８８）、ＫＬＹＧＹＡＴＴＤ（配列番号１５８９）、ＫＬＹＧＹＡＴＴＡＤ（配列番号１５９０）、ＫＬＹＧＹＡＴＴＡＤＤ（配列番号１５９１）、ＫＬＹＧＹＡＴＴＡＤＧＤ（配列番号１５９２）、ＫＬＹＡＹＡＴＤ（配列番号１５９３）、ＫＬＹＡＹＡＴＴＤ（配列番号１５９４）、ＫＬＹＡＹＡＴＴＡＤ（配列番号１５９５）、ＫＬＹＡＹＡＴＴＡＤＤ（配列番号１５９６）、ＫＬＹＡＹＡＴＴＡＤＧＤ（配列番号１５９７）、ＫＶＹＧＹＡＴＤ（配列番号１５９８）、ＫＶＹＧＹＡＴＴＤ（配列番号１５９９）、ＫＶＹＧＹＡＴＴＡＤ（配列番号１６００）、ＫＶＹＧＹＡＴＴＡＤＤ（配列番号１６０１）、ＫＶＹＧＹＡＴＴＡＤＧＤ（配列番号１６０２）、ＫＶＹＡＹＡＴＤ（配列番号１６０３）、ＫＶＹＡＹＡＴＴＤ（配列番号１６０４）、ＫＶＹＡＹＡＴＴＡＤ（配列番号１６０５）、ＫＶＹＡＹＡＴＴＡＤＤ（配列番号１６０６）、ＫＶＹＡＹＡＴＴＡＤＧＤ（配列番号１６０７）、ＫＩＹＧＹＡＴＤ（配列番号１６０８）、ＫＩＹＧＹＡＴＴＤ（配列番号１６０９）、ＫＩＹＧＹＡＴＴＡＤ（配列番号１６１０）、ＫＩＹＧＹＡＴＴＡＤＤ（配列番号１６１１）、ＫＩＹＧＹＡＴＴＡＤＧＤ（配列番号１６１２）、ＫＩＹＡＹＡＴＤ（配列番号１６１３）、ＫＩＹＡＹＡＴＴＤ（配列番号１６１４）、ＫＩＹＡＹＡＴＴＡＤ（配列番号１６１５）、ＫＩＹＡＹＡＴＴＡＤＤ（配列番号１６１６）、ＫＩＹＡＹＡＴＴＡＤＧＤ（配列番号１６１７）、ＹＡＴＴＡ（配列番号１６１８）、ＹＡＴＴＡＤ（配列番号１６１９）、ＹＡＴＴＡＤＧ（配列番号１６２０）、ＧＹＡＴＴ（配列番号１６２１）、ＧＹＡＴＴＡ（配列番号１６２２）、ＧＹＡＴＴＡＤ（配列番号１６２３）、ＧＹＡＴＴＡＤＧ（配列番号１６２４）、ＡＹＡＴＴ（配列番号１６２５）、ＡＹＡＴＴＡ（配列番号１６２６）、ＡＹＡＴＴＡＤ（配列番号１６２７）、ＡＹＡＴＴＡＤＧ（配列番号１６２８）、ＹＧＹＡＴ（配列番号１６２９）、ＹＧＹＡＴＴ（配列番号１６３０）、ＹＧＹＡＴＴＡ（配列番号１６３１）、ＹＧＹＡＴＴＡＤ（配列番号１６３２）、ＹＧＹＡＴＴＡＤＧ（配列番号１６３３）、ＹＡＹＡＴ（配列番号１６３４）、ＹＡＹＡＴＴ（配列番号１６３５）、ＹＡＹＡＴＴＡ（配列番号１６３６）、ＹＡＹＡＴＴＡＤ（配列番号１６３７）、ＹＡＹＡＴＴＡＤＧ（配列番号１６３８）、ＬＹＧＹＡＴ（配列番号１６３９）、ＬＹＧＹＡＴＴ（配列番号１６４０）、ＬＹＧＹＡＴＴＡ（配列番号１６４１）、ＬＹＧＹＡＴＴＡＤ（配列番号１６４２）、ＬＹＧＹＡＴＴＡＤＧ（配列番号１６４３）、ＬＹＡＹＡＴ（配列番号１６４４）、ＬＹＡＹＡＴＴ（配列番号１６４５）、ＬＹＡＹＡＴＴＡ（配列番号１６４６）、ＬＹＡＹＡＴＴＡＤ（配列番号１６４７）、ＬＹＡＹＡＴＴＡＤＧ（配列番号１６４８）、ＶＹＧＹＡＴ（配列番号１６４９）、ＶＹＧＹＡＴＴ（配列番号１６５０）、ＶＹＧＹＡＴＴＡ（配列番号１６５１）、ＶＹＧＹＡＴＴＡＤ（配列番号１６５２）、ＶＹＧＹＡＴＴＡＤＧ（配列番号１６５３）、ＶＹＡＹＡＴ（配列番号１６５４）、ＶＹＡＹＡＴＴ（配列番号１６５５）、ＶＹＡＹＡＴＴＡ（配列番号１６５６）、ＶＹＡＹＡＴＴＡＤ（配列番号１６５７）、ＶＹＡＹＡＴＴＡＤＧ（配列番号１６５８）、ＩＹＧＹＡＴ（配列番号１６５９）、ＩＹＧＹＡＴＴ（配列番号１６６０）、ＩＹＧＹＡＴＴＡ（配列番号１６６１）、ＩＹＧＹＡＴＴＡＤ（配列番号１６６２）、ＩＹＧＹＡＴＴＡＤＧ（配列番号１６６３）、ＩＹＡＹＡＴ（配列番号１６６４）、ＩＹＡＹＡＴＴ（配列番号１６６５）、ＩＹＡＹＡＴＴＡ（配列番号１６６６）、ＩＹＡＹＡＴＴＡＤ（配列番号１６６７）、ＩＹＡＹＡＴＴＡＤＧ（配列番号１６６８）、ＣＦＡＴＣ（配列番号１６６９）、ＣＦＡＴＴＣ（配列番号１６７０）、ＣＦＡＴＴＰＣ（配列番号１６７１）、ＣＦＡＴＴＰＤＣ（配列番号１６７２）、ＣＦＡＴＴＰＤＧＣ（配列番号１６７３）、ＣＡＦＡＴＣ（配列番号１６７４）、ＣＡＦＡＴＴＣ（配列番号１６７５）、ＣＡＦＡＴＴＰＣ（配列番号１６７６）、ＣＡＦＡＴＴＰＤＣ（配列番号１６７７）、ＣＡＦＡＴＴＰＤＧＣ（配列番号１６７８）、ＣＩＡＦＡＴＣ（配列番号１６７９）、ＣＩＡＦＡＴＴＣ（配列番号１６８０）、ＣＩＡＦＡＴＴＰＣ（配列番号１６８１）、ＣＩＡＦＡＴＴＰＤＣ（配列番号１６８２）、ＣＩＡＦＡＴＴＰＤＧＣ（配列番号１６８３）、ＣＩＩＡＦＡＴＣ（配列番号１６８４）、ＣＩＩＡＦＡＴＴＣ（配列番号１６８５）、ＣＩＩＡＦＡＴＴＰＣ（配列番号１６８６）、ＣＩＩＡＦＡＴＴＰＤＣ（配列番号１６８７）、ＣＩＩＡＦＡＴＴＰＤＧＣ（配列番号１６８８）、ＣＬＩＡＦＡＴＣ（配列番号１６８９）、ＣＬＩＡＦＡＴＴＣ（配列番号１６９０）、ＣＬＩＡＦＡＴＴＰＣ（配列番号１６９１）、ＣＬＩＡＦＡＴＴＰＤＣ（配列番号１６９２）、ＣＬＩＡＦＡＴＴＰＤＧＣ（配列番号１６９３）、ＥＦＡＴＫ（配列番号１６９４）、ＥＦＡＴＴＫ（配列番号１６９５）、ＥＦＡＴＴＰＫ（配列番号１６９６）、ＥＦＡＴＴＰＤＫ（配列番号１６９７）、ＥＦＡＴＴＰＤＧＫ（配列番号１６９８）、ＥＡＦＡＴＫ（配列番号１６９９）、ＥＡＦＡＴＴＫ（配列番号１７００）、ＥＡＦＡＴＴＰＫ（配列番号１７０１）、ＥＡＦＡＴＴＰＤＫ（配列番号１７０２）、ＥＡＦＡＴＴＰＤＧＫ（配列番号１７０３）、ＥＩＡＦＡＴＫ（配列番号１７０４）、ＥＩＡＦＡＴＴＫ（配列番号１７０５）、ＥＩＡＦＡＴＴＰＫ（配列番号１７０６）、ＥＩＡＦＡＴＴＰＤＫ（配列番号１７０７）、ＥＩＡＦＡＴＴＰＤＧＫ（配列番号１７０８）、ＥＩＩＡＦＡＴＫ（配列番号１７０９）、ＥＩＩＡＦＡＴＴＫ（配列番号１７１０）、ＥＩＩＡＦＡＴＴＰＫ（配列番号１７１１）、ＥＩＩＡＦＡＴＴＰＤＫ（配列番号１７１２）、ＥＩＩＡＦＡＴＴＰＤＧＫ（配列番号１７１３）、ＥＬＩＡＦＡＴＫ（配列番号１７１４）、ＥＬＩＡＦＡＴＴＫ（配列番号１７１５）、ＥＬＩＡＦＡＴＴＰＫ（配列番号１７１６）、ＥＬＩＡＦＡＴＴＰＤＫ（配列番号１７１７）、ＥＬＩＡＦＡＴＴＰＤＧＫ（配列番号１７１８）、ＫＦＡＴＥ（配列番号１７１９）、ＫＦＡＴＴＥ（配列番号１７２０）、ＫＦＡＴＴＰＥ（配列番号１７２１）、ＫＦＡＴＴＰＤＥ（配列番号１７２２）、ＫＦＡＴＴＰＤＧＥ（配列番号１７２３）、ＫＡＦＡＴＥ（配列番号１７２４）、ＫＡＦＡＴＴＥ（配列番号１７２５）、ＫＡＦＡＴＴＰＥ（配列番号１７２６）、ＫＡＦＡＴＴＰＤＥ（配列番号１７２７）、ＫＡＦＡＴＴＰＤＧＥ（配列番号１７２８）、ＫＩＡＦＡＴＥ（配列番号１７２９）、ＫＩＡＦＡＴＴＥ（配列番号１７３０）、ＫＩＡＦＡＴＴＰＥ（配列番号１７３１）、ＫＩＡＦＡＴＴＰＤＥ（配列番号１７３２）、ＫＩＡＦＡＴＴＰＤＧＥ（配列番号１７３３）、ＫＩＩＡＦＡＴＥ（配列番号１７３４）、ＫＩＩＡＦＡＴＴＥ（配列番号１７３５）、ＫＩＩＡＦＡＴＴＰＥ（配列番号１７３６）、ＫＩＩＡＦＡＴＴＰＤＥ（配列番号１７３７）、ＫＩＩＡＦＡＴＴＰＤＧＥ（配列番号１７３８）、ＫＬＩＡＦＡＴＥ（配列番号１７３９）、ＫＬＩＡＦＡＴＴＥ（配列番号１７４０）、ＫＬＩＡＦＡＴＴＰＥ（配列番号１７４１）、ＫＬＩＡＦＡＴＴＰＤＥ（配列番号１７４２）、ＫＬＩＡＦＡＴＴＰＤＧＥ（配列番号１７４３）、ＤＦＡＴＫ（配列番号１７４４）、ＤＦＡＴＴＫ（配列番号１７４５）、ＤＦＡＴＴＰＫ（配列番号１７４６）、ＤＦＡＴＴＰＤＫ（配列番号１７４７）、ＤＦＡＴＴＰＤＧＫ（配列番号１７４８）、ＤＡＦＡＴＫ（配列番号１７４９）、ＤＡＦＡＴＴＫ（配列番号１７５０）、ＤＡＦＡＴＴＰＫ（配列番号１７５１）、ＤＡＦＡＴＴＰＤＫ（配列番号１７５２）、ＤＡＦＡＴＴＰＤＧＫ（配列番号１７５３）、ＤＩＡＦＡＴＫ（配列番号１７５４）、ＤＩＡＦＡＴＴＫ（配列番号１７５５）、ＤＩＡＦＡＴＴＰＫ（配列番号１７５６）、ＤＩＡＦＡＴＴＰＤＫ（配列番号１７５７）、ＤＩＡＦＡＴＴＰＤＧＫ（配列番号１７５８）、ＤＩＩＡＦＡＴＫ（配列番号１７５９）、ＤＩＩＡＦＡＴＴＫ（配列番号１７６０）、ＤＩＩＡＦＡＴＴＰＫ（配列番号１７６１）、ＤＩＩＡＦＡＴＴＰＤＫ（配列番号１７６２）、ＤＩＩＡＦＡＴＴＰＤＧＫ（配列番号１７６３）、ＤＬＩＡＦＡＴＫ（配列番号１７６４）、ＤＬＩＡＦＡＴＴＫ（配列番号１７６５）、ＤＬＩＡＦＡＴＴＰＫ（配列番号１７６６）、ＤＬＩＡＦＡＴＴＰＤＫ（配列番号１７６７）、ＤＬＩＡＦＡＴＴＰＤＧＫ（配列番号１７６８）、ＫＦＡＴＤ（配列番号１７６９）、ＫＦＡＴＴＤ（配列番号１７７０）、ＫＦＡＴＴＰＤ（配列番号１７７１）、ＫＦＡＴＴＰＤＤ（配列番号１７７２）、ＫＦＡＴＴＰＤＧＤ（配列番号１７７３）、ＫＡＦＡＴＤ（配列番号１７７４）、ＫＡＦＡＴＴＤ（配列番号１７７５）、ＫＡＦＡＴＴＰＤ（配列番号１７７６）、ＫＡＦＡＴＴＰＤＤ（配列番号１７７７）、ＫＡＦＡＴＴＰＤＧＤ（配列番号１７７８）、ＫＩＡＦＡＴＤ（配列番号１７７９）、ＫＩＡＦＡＴＴＤ（配列番号１７８０）、ＫＩＡＦＡＴＴＰＤ（
配列番号１７８１）、ＫＩＡＦＡＴＴＰＤＤ（配列番号１７８２）、ＫＩＡＦＡＴＴＰＤＧＤ（配列番号１７８３）、ＫＩＩＡＦＡＴＤ（配列番号１７８４）、ＫＩＩＡＦＡＴＴＤ（配列番号１７８５）、ＫＩＩＡＦＡＴＴＰＤ（配列番号１７８６）、ＫＩＩＡＦＡＴＴＰＤＤ（配列番号１７８７）、ＫＩＩＡＦＡＴＴＰＤＧＤ（配列番号１７８８）、ＫＬＩＡＦＡＴＤ（配列番号１７８９）、ＫＬＩＡＦＡＴＴＤ（配列番号１７９０）、ＫＬＩＡＦＡＴＴＰＤ（配列番号１７９１）、ＫＬＩＡＦＡＴＴＰＤＤ（配列番号１７９２）、ＫＬＩＡＦＡＴＴＰＤＧＤ（配列番号１７９３）、ＦＡＴＴＰ（配列番号１７９４）、ＦＡＴＴＰＤ（配列番号１７９５）、ＦＡＴＴＰＤＧ（配列番号１７９６）、ＡＦＡＴＴ（配列番号１７９７）、ＡＦＡＴＴＰ（配列番号１７９８）、ＡＦＡＴＴＰＤ（配列番号１７９９）、ＡＦＡＴＴＰＤＧ（配列番号１８００）、ＩＡＦＡＴ（配列番号１８０１）、ＩＡＦＡＴＴ（配列番号１８０２）、ＩＡＦＡＴＴＰ（配列番号１８０３）、ＩＡＦＡＴＴＰＤ（配列番号１８０４）、ＩＡＦＡＴＴＰＤＧ（配列番号１８０５）、ＩＩＡＦＡＴ（配列番号１８０６）、ＩＩＡＦＡＴＴ（配列番号１８０７）、ＩＩＡＦＡＴＴＰ（配列番号１８０８）、ＩＩＡＦＡＴＴＰＤ（配列番号１８０９）、ＩＩＡＦＡＴＴＰＤＧ（配列番号１８１０）、ＬＩＡＦＡＴ（配列番号１８１１）、ＬＩＡＦＡＴＴ（配列番号１８１２）、ＬＩＡＦＡＴＴＰ（配列番号１８１３）、ＬＩＡＦＡＴＴＰＤ（配列番号１８１４）、ＬＩＡＦＡＴＴＰＤＧ（配列番号１８１５）、ＣＹＡＳＣ（配列番号１８１６）、ＣＹＡＳＴＣ（配列番号１８１７）、ＣＹＡＳＴＡＣ（配列番号１８１８、ＣＹＡＳＴＡＤＣ（配列番号１８１９）、ＣＹＡＳＴＡＤＧＣ（配列番号１８２０）、ＣＡＹＡＳＣ（配列番号１８２１）、ＣＡＹＡＳＴＣ（配列番号１８２２）、ＣＡＹＡＳＴＡＣ（配列番号１８２３）、ＣＡＹＡＳＴＡＤＣ（配列番号１８２４）、ＣＡＹＡＳＴＡＤＧＣ（配列番号１８２５）、ＣＩＡＹＡＳＣ（配列番号１８２６）、ＣＩＡＹＡＳＴＣ（配列番号１８２７）、ＣＩＡＹＡＳＴＡＣ（配列番号１８２８）、ＣＩＡＹＡＳＴＡＤＣ（配列番号１８２９）、ＣＩＡＹＡＳＴＡＤＧＣ（配列番号１８３０）、ＣＬＩＡＹＡＳＣ（配列番号１８３１）、ＣＬＩＡＹＡＳＴＣ（配列番号１８３２）、ＣＬＩＡＹＡＳＴＡＣ（配列番号１８３３）、ＣＬＩＡＹＡＳＴＡＤＣ（配列番号１８３４）、ＣＬＩＡＹＡＳＴＡＤＧＣ（配列番号１８３５）、ＥＹＡＳＫ（配列番号１８３６）、ＥＹＡＳＴＫ（配列番号１８３７）、ＥＹＡＳＴＡＫ（配列番号１８３８）、ＥＹＡＳＴＡＤＫ（配列番号１８３９）、ＥＹＡＳＴＡＤＧＫ（配列番号１８４０）、ＥＡＹＡＳＫ（配列番号１８４１）、ＥＡＹＡＳＴＫ（配列番号１８４２）、ＥＡＹＡＳＴＡＫ（配列番号１８４３）、ＥＡＹＡＳＴＡＤＫ（配列番号１８４４）、ＥＡＹＡＳＴＡＤＧＫ（配列番号１８４５）、ＥＩＡＹＡＳＫ（配列番号１８４６）、ＥＩＡＹＡＳＴＫ（配列番号１８４７）、ＥＩＡＹＡＳＴＡＫ（配列番号１８４８）、ＥＩＡＹＡＳＴＡＤＫ（配列番号１８４９）、ＥＩＡＹＡＳＴＡＤＧＫ（配列番号１８５０）、ＥＬＩＡＹＡＳＫ（配列番号１８５１）、ＥＬＩＡＹＡＳＴＫ（配列番号１８５２）、ＥＬＩＡＹＡＳＴＡＫ（配列番号１８５３）、ＥＬＩＡＹＡＳＴＡＤＫ（配列番号１８５４）、ＥＬＩＡＹＡＳＴＡＤＧＫ（配列番号１８５５）、ＫＹＡＳＥ（配列番号１８５６）、ＫＹＡＳＴＥ（配列番号１８５７）、ＫＹＡＳＴＡＥ（配列番号１８５８）、ＫＹＡＳＴＡＤＥ（配列番号１８５９）、ＫＹＡＳＴＡＤＧＥ（配列番号１８６０）、ＫＡＹＡＳＥ（配列番号１８６１）、ＫＡＹＡＳＴＥ（配列番号１８６２）、ＫＡＹＡＳＴＡＥ（配列番号１８６３）、ＫＡＹＡＳＴＡＤＥ（配列番号１８６４）、ＫＡＹＡＳＴＡＤＧＥ（配列番号１８６５）、ＫＩＡＹＡＳＥ（配列番号１８６６）、ＫＩＡＹＡＳＴＥ（配列番号１８６７）、ＫＩＡＹＡＳＴＡＥ（配列番号１８６８）、ＫＩＡＹＡＳＴＡＤＥ（配列番号１８６９）、  ＫＩＡＹＡＳＴＡＤＧＥ（配列番号１８７０）、ＫＬＩＡＹＡＳＥ（配列番号１８７１）、ＫＬＩＡＹＡＳＴＥ（配列番号１８７２）、ＫＬＩＡＹＡＳＴＡＥ（配列番号１８７３）、ＫＬＩＡＹＡＳＴＡＤＥ（配列番号１８７４）、ＫＬＩＡＹＡＳＴＡＤＧＥ（配列番号１８７５）、ＤＹＡＳＫ（配列番号１８７６）、ＤＹＡＳＴＫ（配列番号１８７７）、ＤＹＡＳＴＡＫ（配列番号１８７８）、ＤＹＡＳＴＡＤＫ（配列番号１８７９）、ＤＹＡＳＴＡＤＧＫ（配列番号１８８０）、ＤＡＹＡＳＫ（配列番号１８８１）、ＤＡＹＡＳＴＫ（配列番号１８８２）、ＤＡＹＡＳＴＡＫ（配列番号１８８３）、ＤＡＹＡＳＴＡＤＫ（配列番号１８８４）、ＤＡＹＡＳＴＡＤＧＫ（配列番号１８８５）、ＤＩＡＹＡＳＫ（配列番号１８８６）、ＤＩＡＹＡＳＴＫ（配列番号１８８７）、ＤＩＡＹＡＳＴＡＫ（配列番号１８８８）、ＤＩＡＹＡＳＴＡＤＫ（配列番号１８８９）、ＤＩＡＹＡＳＴＡＤＧＫ（配列番号１８９０）、ＤＬＩＡＹＡＳＫ（配列番号１８９１）、ＤＬＩＡＹＡＳＴＫ（配列番号１８９２）、ＤＬＩＡＹＡＳＴＡＫ（配列番号１８９３）、ＤＬＩＡＹＡＳＴＡＤＫ（配列番号１８９４）、ＤＬＩＡＹＡＳＴＡＤＧＫ（配列番号１８９５）、ＫＹＡＳＤ（配列番号１８９６）、ＫＹＡＳＴＤ（配列番号１８９７）、ＫＹＡＳＴＡＤ（配列番号１８９８）、ＫＹＡＳＴＡＤＤ（配列番号１８９９）、ＫＹＡＳＴＡＤＧＤ（配列番号１９００）、ＫＡＹＡＳＤ（配列番号１９０１）、ＫＡＹＡＳＴＤ（配列番号１９０２）、ＫＡＹＡＳＴＡＤ（配列番号１９０３）、ＫＡＹＡＳＴＡＤＤ（配列番号１９０４）、ＫＡＹＡＳＴＡＤＧＤ（配列番号１９０５）、ＫＩＡＹＡＳＤ（配列番号１９０６）、ＫＩＡＹＡＳＴＤ（配列番号１９０７）、ＫＩＡＹＡＳＴＡＤ（配列番号１９０８）、ＫＩＡＹＡＳＴＡＤＤ（配列番号１９０９）、ＫＩＡＹＡＳＴＡＤＧＤ（配列番号１９１０）、ＫＬＩＡＹＡＳＤ（配列番号１９１１）、ＫＬＩＡＹＡＳＴＤ（配列番号１９１２）、ＫＬＩＡＹＡＳＴＡＤ（配列番号１９１３）、ＫＬＩＡＹＡＳＴＡＤＤ（配列番号１９１４）、ＫＬＩＡＹＡＳＴＡＤＧＤ（配列番号１９１５）、ＹＡＳＴＡ（配列番号１９１６）、ＹＡＳＴＡＤ（配列番号１９１７）、ＹＡＳＴＡＤＧ（配列番号１９１８）、ＡＹＡＳＴ（配列番号１９１９）、ＡＹＡＳＴＡ（配列番号１９２０）、ＡＹＡＳＴＡＤ（配列番号１９２１）、ＡＹＡＳＴＡＤＧ（配列番号１���２２）、ＩＡＹＡＳ（配列番号１９２３）、ＩＡＹＡＳＴ（配列番号１９２４）、ＩＡＹＡＳＴＡ（配列番号１９２５）、ＩＡＹＡＳＴＡＤ（配列番号１９２６）、ＩＡＹＡＳＴＡＤＧ（配列番号１９２７）、ＬＩＡＹＡＳ（配列番号１９２８）、ＬＩＡＹＡＳＴ（配列番号１９２９）、ＬＩＡＹＡＳＴＡ（配列番号１９３０）、ＬＩＡＹＡＳＴＡＤ（配列番号１９３１）およびＬＩＡＹＡＳＴＡＤＧ（配列番号１９３２）
からなる群より選択される、配列を含む、請求項１７に記載の調節剤。
【請求項１９】  抗体またはその抗原結合フラグメントを含む調節剤であって、該抗体またはその抗原結合フラグメントは、
（ａ）以下：Ｎ−Ａｃ−ＬＹＧＹＡＴＴＡＤＧ−ＮＨ２（配列番号２８０）、Ｎ−Ａｃ−ＬＹＡＹＡＴＴＡＤＧ−ＮＨ２（配列番号２８１）、Ｎ−Ａｃ−ＶＹＧＹＡＴＴＡＤＧ−ＮＨ２（配列番号：２８２）、Ｎ−Ａｃ−ＶＹＡＹＡＴＴＡＤＧ−ＮＨ２（配列番号２８３）、Ｎ−Ａｃ−ＩＹＧＹＡＴＴＡＤＧ−ＮＨ２（配列番号２８４）、Ｎ−Ａｃ−ＩＹＡＹＡＴＴＡＤＧ−ＮＨ２（配列番号２８５）、Ｎ−Ａｃ−ＩＩＡＦＡＴＴＰＤＧ−ＮＨ２（配列番号３１０）、Ｎ−Ａｃ−ＬＩＡＦＡＴＴＰＤＧ−ＮＨ２（配列番号３１１）、およびＮ−Ａｃ−ＬＩＡＹＡＳＴＡＤＧ−ＮＨ２（配列番号３３１）からなる群より選択されるデスモコリンＣＡＲ配列に特異的に結合し、そして
（ｂ）デスモコリン媒介機能を調節する、
調節剤。
【請求項２０】  請求項１〜２または請求項９のいずれか１項に記載の調節剤であって、検出可能なマーカーに連結された、調節剤。
【請求項２１】  請求項１〜２または請求項９のいずれか１項に記載の調節剤であって、標的剤に連結された、調節剤。
【請求項２２】  請求項１〜２または請求項９のいずれか１項に記載の調節剤であって、支持物質に連結された、調節剤。
【請求項２３】  前記支持物質がポリマーマトリックスである、請求項２２に記載の調節剤。
【請求項２４】  前記支持物質が、プラスチック皿、プラスチックチューブ、縫合糸、膜、超薄層フィルム、バイオリアクターおよび微小粒子からなる群より選択される、請求項２２に記載の調節剤。
【請求項２５】  請求項１〜２または請求項９のいずれか１項に記載の調節剤であって、さらに１つ以上の以下：
（ａ）デスモソームカドヘリン以外の接着分子によって特異的に認識されるＣＡＲ配列；および／または
（ｂ）デスモソームカドヘリン以外の接着分子によって特異的に認識される、ＣＡＲ配列に特異的に結合する、抗体またはその抗原結合フラグメント
、を含む、調節剤。
【請求項２６】  請求項２５に記載の調節剤であって、前記接着分子が、古典的なカドヘリン、インテグリン、オクルディン、クラウディン、非古典的なカドヘリン、フィブロネクチン、ラミニン、クラウディン、および他の細胞外マトリックスタンパク質からなる群より選択される、調節剤。
【請求項２７】  薬学的に受容可能なキャリアと組み合わせて、請求項１〜２または請求項９のいずれか１項に記載の調節剤を含む、薬学的組成物。
【請求項２８】  さらに薬物を含む、請求項２７に記載の組成物。
【請求項２９】  前記調節剤が、徐放性処方物内に存在する、請求項２７に記載の組成物。
【請求項３０】  請求項２７に記載の薬学的組成物であって、さらに、１つ以上の以下：
（ａ）デスモソームカドヘリン以外の接着分子によって特異的に認識されるＣＡＲ配列；および／または
（ｂ）デスモソームカドヘリン以外の接着分子によって特異的に認識される、ＣＡＲ配列に特異的に結合する、抗体またはその抗原結合フラグメント、
を含む、細胞接着の調節剤を含む、
薬学的組成物。
【請求項３１】  請求項３０に記載の薬学的組成物であって、該接着分子が、古典的なカドヘリン、インテグリン、オクルディン、クラウディン、非古典的なカドヘリン、フィブロネクチン、ラミニン、および他の細胞外マトリックスタンパク質からなる群より選択される、薬学的組成物。
【請求項３２】  デスモソームカドヘリン媒介機能を調節するための方法であって、デスモグレイン発現細胞および／またはデスモコリン発現細胞と、請求項１〜２または請求項９のいずれか１項に記載の調節剤とを接触させ、これによってデスモソームカドヘリン媒介機能を調節する工程、を包含する、方法。
【請求項３３】  前記細胞が、上皮細胞、内皮細胞および腫瘍細胞からなる群より選択される、請求項３２に記載の方法。
【請求項３４】  前記調節剤が、薬学的に受容可能なキャリアと組み合わせて、薬学的組成物内に存在する、請求項３２に記載の方法。
【請求項３５】  細胞接着を調節する方法であって、デスモソームカドヘリン発現細胞を、請求項１〜２または請求項９のいずれか１項に記載の調節剤と接触させ、これによって細胞接着を調節する工程、を包含する、方法。
【請求項３６】  前記細胞が、上皮細胞、内皮細胞および腫瘍細胞からなる群より選択される、請求項３５に記載の方法。
【請求項３７】  前記調節剤が、薬学的に受容可能なキャリアと組み合わせて、薬学的組成物内に存在する、請求項３５に記載の方法。
【請求項３８】  細胞接着が阻害される、請求項３５に記載の方法。
【請求項３９】  細胞接着が増強される、請求項３５に記載の方法。
【請求項４０】  哺乳動物におけるデスモソームカドヘリン発現細胞の接着を阻害するための方法であって、請求項１〜２または請求項９のいずれか１項に記載の調節剤を哺乳動物に投与する工程を包含し、ここで該調節剤は、デスモコリン媒介細胞接着、および／またはデスモグレイン媒介細胞接着を阻害する、方法。
【請求項４１】  前記調節剤が、薬学的に受容可能なキャリアと組み合わせて、薬学的組成物内に存在する、請求項４０に記載の方法。
【請求項４２】  細胞接着が阻害される、請求項４０に記載の方法。
【請求項４３】  細胞接着が増強される、請求項４０に記載の方法。
【請求項４４】  哺乳動物の皮膚を介した薬物の送達を増強するための方法であって、哺乳動物の上皮細胞を、薬物および請求項１〜２または請求項９のいずれか１項に記載の調節剤と接触させる工程を包含し、ここで該接触工程は、該薬物が該上皮細胞を横切って通過するのを可能にするのに十分な条件および時間で実施され、そしてここで該調節剤が、デスモコリン媒介細胞接着および／またはデスモグレイン媒介細胞接着を阻害する、方法。
【請求項４５】  前記調節剤が、前記哺乳動物の血流中に通過する、請求項４４に記載の方法。
【請求項４６】  前記調節剤が、前記薬物に結合される、請求項４４に記載の方法。
【請求項４７】  前記接触工程が、前記調節剤および前記薬物を含む皮膚パッチを介して実施される、請求項４４に記載の方法。
【請求項４８】  哺乳動物における血液サンプリングを容易にするための方法であって、該方法は、哺乳動物の上皮細胞を、請求項１〜２または請求項９のいずれか１項に記載の調節剤と接触させる工程を包含し、ここで該調節剤は、デスモコリン媒介細胞接着および／またはデスモグレイン媒介細胞接着を阻害し、そして該接触工程は、１つ以上の血液成分が該上皮細胞を横切って通過するのを可能にするのに十分な条件および時間で実施される、方法。
【請求項４９】  前記接触工程が、前記調節剤を含む皮膚パッチを介して実施される、請求項４８に記載の方法。
【請求項５０】  前記皮膚パッチが、目的の血液成分を検出するための試薬をさらに含む、請求項４９に記載の方法。
【請求項５１】  前記上皮細胞が、皮膚細胞であるか、または歯肉細胞である、請求項４８に記載の方法。
【請求項５２】  デスモソームカドヘリン発現細胞の接着を増強するための方法であって、デスモコリン発現細胞および／またはデスモグレイン発現細胞を、
請求項１〜２または請求項９のいずれか１項に記載の調節剤と接触させる工程を包含し、ここで該調節剤が、デスモコリン媒介細胞接着および／またはデスモグレイン媒介細胞接着を増強し、そして該接触工程が、該細胞の接着を検出可能に増強するのに十分な条件下および時間で実施される、方法。
【請求項５３】  前記細胞が、上皮細胞、内皮細胞および腫瘍細胞からなる群より選択される、請求項５２に記載の方法。
【請求項５４】  前記調節剤が、支持体分子または固体支持体に連結される、請求項５２に記載の方法。
【請求項５５】  哺乳動物において瘢痕組織の創傷治癒、および／または減少を促進するための方法であって、哺乳動物の創傷を、請求項１〜２または請求項９のいずれか１項に記載の調節剤と接触させる工程を包含し、ここで、該調節剤がデスモソームカドヘリン媒介細胞接着を強化する、方法。
【請求項５６】  前記調節剤が、支持体分子または固体支持体に連結される、請求項５５に記載の方法。
【請求項５７】  哺乳動物に移植された外来組織の接着を増強するための方法であって、哺乳動物の外来組織の移植の部位を、請求項１〜２または請求項９のいずれか１項に記載の調節剤と接触させる工程を包含し、ここで、該調節剤がデスモソームカドヘリン媒介細胞接着を増強する、方法。
【請求項５８】  前記外来組織が、皮膚移植片または器官インプラントである、請求項５７に記載の方法。
【請求項５９】  前記調節剤が、支持体分子または固体支持体に連結される、請求項５７に記載の方法。
【請求項６０】  哺乳動物において自己免疫性水疱障害を処置するための方法であって、請求項１〜２または請求項９のいずれか１項に記載の調節剤を、哺乳動物に投与する工程を包含し、ここで、該調節剤がデスモソームカドヘリン媒介細胞接着を強化する、方法。
【請求項６１】  前記調節剤が、水疱に代表的に投与される、請求項６０に記載の方法。
【請求項６２】  前記調節剤が、支持体分子または固体支持体に連結される、請求項６０に記載の方法。
【請求項６３】  デスモソームカドヘリン媒介機能を調節し得る化合物を同定するための方法であって、以下：（ａ）デスモソームカドヘリンＣＡＲ配列に特異的に結合する抗体またはその抗原結合フラグメントを試験化合物と接触させる工程；および（ｂ）該試験化合物に結合する抗体またはフラグメントのレベルを検出し、それからデスモソームカドヘリン媒介細胞接着を調節し得る化合物を同定する工程、を包含する、
方法。
【請求項６４】  請求項６３に記載の方法であって、前記抗体または抗原結合フラグメントが、以下：Ｎ−Ａｃ−ＩＹＲＡＬＮＳＭＧ−ＮＨ２（配列番号：１７８）、Ｎ−Ａｃ−ＩＹＲＡＬＮＳＬＧ−ＮＨ２（配列番号：１７９）、Ｎ−Ａｃ−ＬＴＧＹＡＬＤＡＲＧ−ＮＨ２（配列番号：１９９）、Ｎ−Ａｃ−ＩＴＣＲＡＬＮＡＱＧ−ＮＨ２（配列番号：２２４）、およびＮ−Ａｃ−ＩＴＣＲＡＬＮＡＬＧ−ＮＨ２（配列番号：２２５）からなる群より選択されるデスモグレインＣＡＲ配列に特異的に結合する、方法。
【請求項６５】  請求項６３に記載の方法であって、前記抗体または抗原結合フラグメントが、以下：Ｎ−Ａｃ−ＬＹＧＹＡＴＴＡＤＧ−ＮＨ２（配列番号：２８０）、Ｎ−Ａｃ−ＬＹＡＹＡＴＴＡＤＧ−ＮＨ２（配列番号２８１）、Ｎ−Ａｃ−ＶＹＧＹＡＴＴＡＤＧ−ＮＨ２（配列番号２８２）、Ｎ−Ａｃ−ＶＹＡＹＡＴＴＡＤＧ−ＮＨ２（配列番号２８３）、Ｎ−Ａｃ−ＩＹＧＹＡＴＴＡＤＧ−ＮＨ２（配列番号２８４）、Ｎ−Ａｃ−ＩＹＡＹＡＴＴＡＤＧ−ＮＨ２（配列番号２８５）、Ｎ−Ａｃ−ＩＩＡＦＡＴＴＰＤＧ−ＮＨ２（配列番号３１０）、Ｎ−Ａｃ−ＬＩＡＦＡＴＴＰＤＧ−ＮＨ２（配列番号３１１）、およびＮ−Ａｃ−ＬＩＡＹＡＳＴＡＤＧ−ＮＨ２（配列番号３３１）からなる群より選択されるデスモコリンＣＡＲ配列に特異的に結合する、方法。